【手続補正書】
【提出日】平成28年6月10日(2016.6.10)
【手続補正１】
【補正対象書類名】特許請求の範囲
【補正対象項目名】全文
【補正方法】変更
【補正の内容】
【特許請求の範囲】
【請求項１】
回線交換フォールバック方法であって、
ユーザ装置（ＵＥ）が、回線交換フォールバック（ＣＳＦＢ）を実行するようリクエストするためのリクエストメッセージをモビリティ・マネージメント・エンティティ（ＭＭＥ）に送信するステップと、
前記ＵＥが、進化型基地局（ｅＮｏｄｅＢ）によって送信されたスイッチコマンドを受信するステップであって、前記スイッチコマンドはパケット交換（ＰＳ）ドメインから回線交換（ＣＳ）ドメインにスイッチするよう前記ＵＥに命令する、受信するステップと、
前記ＵＥが前記スイッチコマンドに従って前記ＣＳドメインにスイッチした後に前記ＵＥのデフォルトＣＳ呼を解放又は保持するステップであって、前記デフォルトＣＳ呼は前記スイッチコマンドに従って前記ＵＥによって生成される、解放又は保持するステップと、
前記ＵＥが、モバイル・スイッチング・センタ（ＭＳＣ）を利用することによって、ＣＳ呼を発信するか、又はＣＳ呼を受信するステップと、
を有する方法。
【請求項２】
当該方法は更に、
前記ＵＥが、呼解放メッセージ又は呼保持メッセージを前記ＭＳＣに送信するステップを有し、前記呼解放メッセージ又は前記呼保持メッセージは、スイッチ準備プロセスにおいて前記ＭＳＣによって生成されるデフォルトＣＳ呼を解放又は保持するよう前記ＭＳＣに命令する、請求項１に記載の方法。
【請求項３】
前記ＵＥのデフォルトＣＳ呼を解放又は保持するステップの前に、当該方法は更に、
前記ＵＥが、呼解放メッセージ又は呼保持メッセージを受信するステップを有し、前記呼解放メッセージ又は前記呼保持メッセージは前記ＭＳＣによって送信され、前記呼解放メッセージ又は前記呼保持メッセージは、前記デフォルトＣＳ呼を解放又は保持するよう前記ＵＥに命令し、
前記ＵＥのデフォルトＣＳ呼を解放又は保持するステップは、
前記ＵＥが、前記呼解放メッセージ又は前記呼保持メッセージに従って前記デフォルトＣＳ呼を解放又は保持するステップを有する、請求項１に記載の方法。
【請求項４】
前記ユーザ装置ＵＥが、回線交換フォールバックＣＳＦＢを実行するようリクエストするためのリクエストメッセージをモビリティ・マネージメント・エンティティＭＭＥに送信するステップの前に、当該方法は更に、
前記ＵＥが、前記ＵＥによってサポートされる音声符号化／復号化能力及びシングル・ラジオ・ボイス・コール・コンティニュイティＳＲＶＣＣ能力を前記ＭＭＥに送信するステップを有する、請求項１乃至３何れか一項に記載の方法。
【請求項５】
回線交換フォールバック方法であって、
モバイル・スイッチング・センタ（ＭＳＣ）が、モビリティ・マネージメント・エンティティ（ＭＭＥ）によって送信され、ユーザ装置（ＵＥ）をパケット交換（ＰＳ）ドメインから回線交換（ＣＳ）ドメインにスイッチするようリクエストするのに利用されるスイッチリクエストを受信するステップであって、前記スイッチリクエストは回線交換フォールバック（ＣＳＦＢ）指示情報を有し、前記ＣＳＦＢ指示情報は、前記ＭＭＥが前記ＵＥによって送信され、ＣＳＦＢを実行するようリクエストするのに利用されるリクエストメッセージを受信するとき、前記スイッチリクエストが前記ＭＭＥによって送信されることを指示する、受信するステップと、
前記ＭＳＣが、前記スイッチリクエストに従ってスイッチレスポンスメッセージを前記ＭＭＥに送信するステップと、
前記ＭＳＣが、前記ＵＥによって送信されたスイッチ完了メッセージを受信するステップであって、前記スイッチ完了メッセージは、前記ＵＥが前記ＰＳドメインから前記ＣＳドメインへのスイッチをすでに完了したことを通知する、受信するステップと、
前記ＭＳＣが、前記ＣＳＦＢ指示情報に従ってデフォルトＣＳ呼を解放又は保持するステップであって、前記デフォルトＣＳ呼は、前記ＭＳＣが前記スイッチリクエストを受信した後に前記ＭＳＣによって生成される、解放又は保持するステップと、
前記ＭＳＣが、前記ＵＥがＣＳ呼を発信するか、又はＣＳ呼を受信するように、前記ＵＥとやりとりするステップと、
を有する方法。
【請求項６】
前記デフォルトＣＳ呼を解放又は保持するステップの前に、当該方法は更に、
前記ＭＳＣが、呼解放メッセージ又は呼保持メッセージを受信するステップを有し、前記呼解放メッセージ又は前記呼保持メッセージは前記ＵＥによって送信され、前記呼解放メッセージ又は前記呼保持メッセージは、前記デフォルトＣＳ呼を解放又は保持するよう前記ＭＳＣに命令し、
前記デフォルトＣＳ呼を解放又は保持するステップは、
前記ＭＳＣが、前記ＣＳＦＢ指示情報と、前記呼解放メッセージ又は前記呼保持メッセージとに従って前記デフォルトＣＳ呼を解放又は保持するステップを有する、請求項５に記載の方法。
【請求項７】
当該方法は更に、
前記ＭＳＣが、呼解放メッセージ又は呼保持メッセージを前記ＵＥに送信するステップを有し、前記呼解放メッセージ又は前記呼保持メッセージは、前記ＵＥによって生成されたデフォルトＣＳ呼を解放又は保持するよう前記ＵＥに命令する、請求項５に記載の方法。
【請求項８】
前記ＣＳＦＢ指示情報は、シングル・ラジオ・ボイス・コール・コンティニュイティのための予め設定されたセッション・トランスファ・ナンバー・シングル・レシーバ（ＳＲＶＣＣ）ＳＴＮ−ＳＲである、請求項５乃至７何れか一項に記載の方法。
【請求項９】
回線交換フォールバック方法であって、
モビリティ・マネージメント・エンティティ（ＭＭＥ）が、ユーザ装置（ＵＥ）によって送信され、回線交換フォールバック（ＣＳＦＢ）を実行するようリクエストするのに利用されるリクエストメッセージを受信するステップと、
前記ＭＭＥが、Ｓ１インタフェースメッセージを進化型基地局（ｅＮｏｄｅＢ）に送信するステップであって、前記Ｓ１インタフェースメッセージは、前記ＵＥをパケット交換（ＰＳ）ドメインから回線交換（ＣＳ）ドメインにスイッチするよう前記ｅＮｏｄｅＢに命令する、送信するステップと、
前記ＭＭＥが、前記ｅＮｏｄｅＢによって送信され、前記ＵＥを前記ＰＳドメインから前記ＣＳドメインにスイッチするのに利用される第１のスイッチリクエストを受信するステップと、
前記ＭＭＥが、前記ＵＥを前記ＰＳドメインから前記ＣＳドメインにスイッチするための第２のスイッチリクエストをモバイル・スイッチング・センタ（ＭＳＣ）に送信するステップであって、前記第２のスイッチリクエストは第２のＣＳＦＢ指示情報を有し、前記第２のＣＳＦＢ指示情報は、前記第２のスイッチリクエストが前記ＣＳＦＢを実行するため送信されることを指示する、送信するステップと、
前記ＭＭＥが、前記ＭＳＣによって送信されたスイッチレスポンスメッセージを受信するステップと、
前記ＭＭＥが、前記ｅＮｏｄｅＢに第１のスイッチコマンドを送信するステップであって、前記ｅＮｏｄｅＢが前記第１のスイッチコマンドを受信した後に、前記ｅＮｏｄｅＢは第２のスイッチコマンドを前記ＵＥに送信し、前記第２のスイッチコマンドは、前記ＰＳドメインから前記ＣＳドメインにスイッチするよう前記ＵＥに命令し、前記ＵＥが前記第２のスイッチコマンドに従って前記ＣＳドメインにスイッチした後に、前記ＵＥは、前記第２のスイッチコマンドに従って前記ＵＥによって生成されたデフォルトＣＳ呼を解放又は保持する、送信するステップと、
を有する方法。
【請求項１０】
前記第２のＣＳＦＢ指示情報は、シングル・ラジオ・ボイス・コール・コンティニュイティのための予め設定されたセッション・トランスファ・ナンバー・シングル・レシーバ（ＳＲＶＣＣ）ＳＴＮ−ＳＲである、請求項９に記載の方法。
【請求項１１】
前記第１のスイッチリクエストは第１のＣＳＦＢ指示情報を有し、前記第１のＣＳＦＢ指示情報は、前記第１のスイッチリクエストメッセージが前記ＣＳＦＢを実行するため送信されることを指示する、請求項９又は１０に記載の方法。
【請求項１２】
前記第１のＣＳＦＢ指示情報は、ＳＲＶＣＣスイッチ指示情報である、請求項１１に記載の方法。
【請求項１３】
前記モビリティ・マネージメント・エンティティ（ＭＭＥ）が、ユーザ装置（ＵＥ）によって送信され、回線交換フォールバック（ＣＳＦＢ）を実行するようリクエストするのに利用されるリクエストメッセージを受信するステップの前に、当該方法は更に、
前記ＭＭＥが、前記ＵＥによって送信され、前記ＵＥによってサポートされる音声符号化／復号化能力及びＳＲＶＣＣ能力を受信するステップを有する、請求項９乃至１２何れか一項に記載の方法。
【請求項１４】
ユーザ装置（ＵＥ）であって、
回線交換フォールバック（ＣＳＦＢ）を実行するようリクエストするためのリクエストメッセージをモビリティ・マネージメント・エンティティ（ＭＭＥ）に送信するよう構成される送信モジュールと、
進化型基地局（ｅＮｏｄｅＢ）によって送信されたスイッチコマンドを受信するよう構成される受信モジュールであって、前記スイッチコマンドはパケット交換（ＰＳ）ドメインから回線交換（ＣＳ）ドメインにスイッチするよう前記ＵＥに命令する、受信モジュールと、
前記ＵＥが前記スイッチコマンドに従って前記ＣＳドメインにスイッチした後に前記ＵＥのデフォルトＣＳ呼を解放又は保持するよう構成される処理モジュールであって、前記デフォルトＣＳ呼は前記スイッチコマンドに従って前記ＵＥによって生成される、処理モジュールと、
モバイル・スイッチング・センタ（ＭＳＣ）を利用することによって、ＣＳ呼を発信するか、又はＣＳ呼を受信するよう構成される呼モジュールと、
を有するＵＥ。
【請求項１５】
前記送信モジュールは更に、呼解放メッセージ又は呼保持メッセージを前記ＭＳＣに送信するよう構成され、前記呼解放メッセージ又は前記呼保持メッセージは、スイッチ準備プロセスにおいて前記ＭＳＣによって生成されるデフォルトＣＳ呼を解放又は保持するよう前記ＭＳＣに命令する、請求項１４に記載のＵＥ。
【請求項１６】
前記受信モジュールは更に、呼解放メッセージ又は呼保持メッセージを受信するよう構成され、前記呼解放メッセージ又は前記呼保持メッセージは前記ＭＳＣによって送信され、前記呼解放メッセージ又は前記呼保持メッセージは、前記デフォルトＣＳ呼を解放又は保持するよう前記ＵＥに命令し、
前記処理モジュールは、前記呼解放メッセージ又は前記呼保持メッセージに従って前記デフォルトＣＳ呼を解放又は保持するよう構成される、請求項１４に記載のＵＥ。
【請求項１７】
前記送信モジュールは更に、前記回線交換フォールバック（ＣＳＦＢ）を実行するようリクエストするためのリクエストメッセージを前記モビリティ・マネージメント・エンティティ（ＭＭＥ）に送信する前に、サポートされる音声符号化／復号化能力及びサポートされるシングル・ラジオ・ボイス・コール・コンティニュイティ（ＳＲＶＣＣ）能力を前記ＭＭＥに送信するよう構成される、請求項１４乃至１６何れか一項に記載のＵＥ。
【請求項１８】
モバイル・スイッチング・センタ（ＭＳＣ）であって、
モビリティ・マネージメント・エンティティ（ＭＭＥ）によって送信され、ユーザ装置（ＵＥ）をパケット交換（ＰＳ）ドメインから回線交換（ＣＳ）ドメインにスイッチするようリクエストするのに利用されるスイッチリクエストを受信するよう構成される受信モジュールであって、前記スイッチリクエストは回線交換フォールバック（ＣＳＦＢ）指示情報を有し、前記ＣＳＦＢ指示情報は、前記ＭＭＥが前記ＵＥによって送信され、ＣＳＦＢを実行するようリクエストするのに利用されるリクエストメッセージを受信するとき、前記スイッチリクエストが前記ＭＭＥによって送信されることを指示する、受信モジュールと、
前記スイッチリクエストに従ってスイッチレスポンスメッセージを前記ＭＭＥに送信するよう構成される送信モジュールと、
前記受信モジュールは更に、前記ＵＥによって送信されたスイッチ完了メッセージを受信するよう構成され、前記スイッチ完了メッセージは、前記ＵＥが前記ＰＳドメインから前記ＣＳドメインへのスイッチをすでに完了したことを通知し、
前記ＣＳＦＢ指示情報に従ってデフォルトＣＳ呼を解放又は保持するよう構成される処理モジュールであって、前記デフォルトＣＳ呼は、前記ＭＳＣが前記スイッチリクエストを受信した後に前記ＭＳＣによって生成される、処理モジュールと、
前記ＵＥがＣＳ呼を発信するか、又はＣＳ呼を受信するように、前記ＵＥとやりとりするよう構成される呼モジュールと、
を有するＭＳＣ。
【請求項１９】
前記受信モジュールは更に、呼解放メッセージ又は呼保持メッセージを受信するよう構成され、前記呼解放メッセージ又は前記呼保持メッセージは前記ＵＥによって送信され、前記呼解放メッセージ又は前記呼保持メッセージは、前記デフォルトＣＳ呼を解放又は保持するよう前記ＭＳＣに命令し、
前記処理モジュールは、前記ＣＳＦＢ指示情報と、前記呼解放メッセージ又は前記呼保持メッセージとに従って前記デフォルトＣＳ呼を解放又は保持するよう構成される、請求項１８に記載のＭＳＣ。
【請求項２０】
前記送信モジュールは更に、呼解放メッセージ又は呼保持メッセージを前記ＵＥに送信するよう構成され、前記呼解放メッセージ又は前記呼保持メッセージは、前記ＵＥによって生成されたデフォルトＣＳ呼を解放又は保持するよう前記ＵＥに命令する、請求項１８に記載のＭＳＣ。
【請求項２１】
前記ＣＳＦＢ指示情報は、シングル・ラジオ・ボイス・コール・コンティニュイティのための予め設定されたセッション・トランスファ・ナンバー・シングル・レシーバＳＲＶＣＣ  ＳＴＮ−ＳＲである、請求項１８乃至２０何れか一項に記載のＭＳＣ。
【請求項２２】
モビリティ・マネージメント・エンティティ（ＭＭＥ）であって、
ユーザ装置（ＵＥ）によって送信され、回線交換フォールバック（ＣＳＦＢ）を実行するようリクエストするのに利用されるリクエストメッセージを受信するよう構成される受信モジュールと、
前記ＵＥをパケット交換（ＰＳ）ドメインから回線交換（ＣＳ）ドメインにスイッチすることを決定するよう構成される決定モジュールと、
Ｓ１インタフェースメッセージを進化型基地局（ｅＮｏｄｅＢ）に送信するよう構成される送信モジュールであって、前記Ｓ１インタフェースメッセージは、前記ＵＥを前記ＰＳドメインから前記ＣＳドメインにスイッチするよう前記ｅＮｏｄｅＢに命令する、送信モジュールと、
を有し、
前記受信モジュールは更に、前記ｅＮｏｄｅＢによって送信され、前記ＵＥを前記ＰＳドメインから前記ＣＳドメインにスイッチするのに利用される第１のスイッチリクエストを受信するよう構成され、
前記送信モジュールは更に、前記ＵＥを前記ＰＳドメインから前記ＣＳドメインにスイッチするための第２のスイッチリクエストをモバイル・スイッチング・センタ（ＭＳＣ）に送信するよう構成され、前記第２のスイッチリクエストは第２のＣＳＦＢ指示情報を有し、前記第２のＣＳＦＢ指示情報は、前記第２のスイッチリクエストが前記ＣＳＦＢを実行するため送信されることを指示し、
前記受信モジュールは更に、前記ＭＳＣによって送信されたスイッチレスポンスメッセージを受信するよう構成され、
前記送信モジュールは更に、前記ｅＮｏｄｅＢに第１のスイッチコマンドを送信するよう構成され、前記ｅＮｏｄｅＢが前記第１のスイッチコマンドを受信した後に、前記ｅＮｏｄｅＢは第２のスイッチコマンドを前記ＵＥに送信し、前記第２のスイッチコマンドは、前記ＰＳドメインから前記ＣＳドメインにスイッチするよう前記ＵＥに命令し、前記ＵＥが前記第２のスイッチコマンドに従って前記ＣＳドメインにスイッチした後に、前記ＵＥは、前記第２のスイッチコマンドに従って前記ＵＥによって生成されたデフォルトＣＳ呼を解放又は保持するＭＭＥ。
【請求項２３】
前記第２のＣＳＦＢ指示情報は、シングル・ラジオ・ボイス・コール・コンティニュイティのための予め設定されたセッション・トランスファ・ナンバー・シングル・レシーバ（ＳＲＶＣＣ）ＳＴＮ−ＳＲである、請求項２２に記載のＭＭＥ。
【請求項２４】
前記第１のスイッチリクエストは第１のＣＳＦＢ指示情報を有し、前記第１のＣＳＦＢ指示情報は、前記第１のスイッチリクエストメッセージが前記ＣＳＦＢを実行するため送信される、請求項２２又は２３に記載のＭＭＥ。
【請求項２５】
前記第１のＣＳＦＢ指示情報は、ＳＲＶＣＣスイッチ指示情報である、請求項２４に記載のＭＭＥ。
【請求項２６】
前記受信モジュールは更に、前記ユーザ装置ＵＥによって送信され、前記回線交換フォールバックＣＳＦＢを実行するようリクエストするのに利用されるリクエストメッセージを受信する前に、前記ＵＥによって送信され、前記ＵＥによってサポートされる音声符号化／復号化能力及びＳＲＶＣＣ能力を受信するよう構成される、請求項２２乃至２５何れか一項に記載のＭＭＥ。
【請求項２７】
請求項１乃至１３何れか一項に記載の方法を実行するための命令を有するプログラムを記憶したコンピュータ可読記憶媒体。
【手続補正２】
【補正対象書類名】明細書
【補正対象項目名】全文
【補正方法】変更
【補正の内容】
【発明の詳細な説明】
【発明の名称】回線交換フォールバック方法及び装置
【技術分野】
【０００１】
本発明は、通信の分野に関し、特に回線交換フォールバック方法、ユーザ装置（Ｕｓｅｒ  Ｅｑｕｉｐｍｅｎｔ，ＵＥ）、モバイル・スイッチング・センタ（Ｍｏｂｉｌｅ  Ｓｗｉｔｃｈｉｎｇ  Ｃｅｎｔｒｅ，ＭＳＣ）及びモビリティ・マネージメント・エンティティ（Ｍｏｂｉｌｉｔｙ  Ｍａｎａｇｅｍｅｎｔ  Ｅｎｔｉｔｙ，ＭＭＥ）に関する。
【背景技術】
【０００２】
数年間における展開によって、２Ｇ／３Ｇネットワークがある程度までフルカバレッジを提供すると考えられるかもしれない。システム・アーキテクチャ・エボリューション（Ｓｙｓｔｅｍ  Ａｒｃｈｉｔｅｃｔｕｒｅ  Ｅｖｏｌｕｔｉｏｎ，ＳＡＥ）／ロング・ターム・エボリューション（Ｌｏｎｇ  Ｔｅｒｍ  Ｅｖｏｌｕｔｉｏｎ，ＬＴＥ）、ハイスピード・パケット・アクセス（Ｈｉｇｈ  Ｓｐｅｅｄ  Ｐａｃｋｅｔ  Ａｃｃｅｓｓ，ＨＳＰＡ）、ＨＳＰＡ＋、及びワールドワイド・インターオペラビリティ・フォー・マイクロウェーブ・アクセス（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ，ＷｉＭＡＸ）ネットワーク技術が発展するに従って、これらのネットワークはいくつかの都市エリア及びトラフィックホットスポットをすでにカバーしている。この結果、現在の通信ネットワークでは、これらのネットワークは２Ｇ／３Ｇネットワークと共存する。説明の簡単化のため、パケット交換（Ｐａｃｋｅｔ  Ｓｗｉｔｃｈｅｄ，ＰＳ）ドメインのみを提供するＳＡＥ／ＬＴＥ、ＨＳＰＡ、ＨＳＰＡ＋、ＷｉＭＡＸなどはまとめて、ＰＳドメイン専用ネットワークとして参照される。異なるネットワークベアラメカニズムのため、モバイル通信の音声呼は以下の複数のタイプに分類されてもよい。
【０００３】
第１のタイプは、音声呼などの回線交換（Ｃｉｒｃｕｉｔ  Ｓｗｉｔｃｈｅｄ，ＣＳ）ドメインによってもたらされる会話サービスである。
【０００４】
第２のタイプは、ボイス・オーバ・インターネット・プロトコル（Ｉｎｔｅｒｎｅｔ  Ｐｒｏｔｏｃｏｌ，ＩＰ）（Ｖｏｉｃｅ  ｏｖｅｒ  Ｉｎｔｅｒｎｅｔ  Ｐｒｏｔｏｃｏｌ，ＶｏＩＰ）サービスとしても参照されるＰＳドメインによりもたらされる会話サービスであり、クオリティ・オブ・サービス（Ｑｕａｌｉｔｙ  ｏｆ  Ｓｅｒｖｉｃｅ，ＱｏＳ）は、ＩＰを介した音声呼などのインターネットプロトコル（Ｉｎｔｅｒｎｅｔ  Ｐｒｏｔｏｃｏｌ，ＩＰ）マルチメディアサブシステム（ＩＰ  Ｍｕｌｔｉｍｅｄｉａ  Ｓｕｂｓｙｓｔｅｍ，ＩＭＳ）により保証される。
【０００５】
ＰＳドメイン専用ネットワークに関して、音声呼はＰＳドメイン専用ネットワークのＰＳドメインベアラのみで送信可能であり、ＩＭＳはＩＰベースネットワークを利用することによって音声呼を制御する。２Ｇ／３Ｇネットワーク上では、音声呼は通常はＣＳドメインでもたらされる。
【０００６】
ＬＴＥ展開の初期段階では、オペレータは２Ｇ／３Ｇネットワークを利用することによってユーザに音声サービスを提供し、ＬＴＥネットワークを利用することによってユーザにデータサービスを提供可能である。端末はマルチモード端末であるが、複雑な実装及びコストの考慮のため、大部分の端末はＬＴＥ信号と２Ｇ／３Ｇ信号とを同時に送受信できず、回線交換フォールバック（ＣＳ  ｆａｌｌｂａｃｋ，ＣＳＦＢ）技術を利用することによって従来技術では解決される。あるシナリオでは、ＵＥはＬＴＥネットワーク上でデータサービスを実行するか、又はアイドル状態にあり、この場合、ＣＳ音声呼を発信するため、ＵＥはＬＴＥから２Ｇ／３ＧにＵＥの無線モジュールをスイッチする必要があり、それからＵＥは、２Ｇ／３Ｇ上で音声呼を発信する。当該呼はＵＥにより発信された呼（ＭＯＣ，ｍｏｂｉｌｅ  ｏｒｉｇｉｎａｔｉｎｇ  ｃａｌｌ）として参照される。他のシナリオでは、ＵＥはＬＴＥネットワーク上でデータサービスを実行するか、又はアイドル状態にあり、この場合、ユーザはＵＥを呼び出す必要があり、ＬＴＥネットワークは、ＵＥがＣＳ呼を受信するため２Ｇ／３Ｇに無線モジュールをスイッチできるように、ＣＳ呼が到着したことをＵＥに通知できる必要がある。当該呼は、ＵＥが被発呼側である呼（ＭＴＣ，ｍｏｂｉｌｅ  ｔｅｒｍｉｎａｔｉｎｇ  ｃａｌｌ）として参照される。
【０００７】
合成された登録がＭＭＥとＭＳＣサーバとの間のインタフェースＳＧを利用することによって実行されるとき、ＵＥは、ＬＴＥにアタッチされながら、ＭＭＥを利用することによってＭＳＣに登録されることが実現可能である。その後、ＵＥはＣＳドメインにフォールバックした後にＣＳサービスを開始可能である。ＵＥがＣＳドメインにフォールバックするための従来技術は、パケット交換（ＰＳ，ｐａｃｋｅｔ  ｓｗｉｔｃｈｅｄ）ドメインスイッチ、ネットワーク支援セル変更（ＮＡＣＣ，ｎｅｔｗｏｒｋ  ａｓｓｉｓｔｅｄ  ｃｅｌｌ  ｃｈａｎｇｅ）及び無線リソース制御リリース（ＲＲＣ  ｒｅｌｅａｓｅ）を含む。
【０００８】
従来技術は、ＰＳドメインからＣＳドメインにスイッチすることによって回線交換ドメインにフォールバックした後、ＵＥがＣＳ呼を発信するか、又はＣＳ呼を受信する技術的解決策を提供していない。
【発明の概要】
【０００９】
本発明の実施例は、回線交換フォールバックがＰＳドメインからＣＳドメインへのＵＥによるスイッチの方式で実現されるように、回線交換フォールバック方法、ＵＥ、ＭＳＣ及びＭＭＥを提供する。
【００１０】
第１の態様によると、回線交換フォールバック方法であって、ユーザ装置ＵＥが、回線交換フォールバックＣＳＦＢを実行するようリクエストするためのリクエストメッセージをモビリティ・マネージメント・エンティティＭＭＥに送信するステップと、前記ＵＥが、進化型基地局（ｅｖｏｌｖｅｄ  Ｎｏｄｅ  Ｂ，ｅＮｏｄｅＢ）によって送信されたスイッチコマンドを受信するステップであって、前記スイッチコマンドはパケット交換ＰＳドメインから回線交換ＣＳドメインにスイッチするよう前記ＵＥに命令する、受信するステップと、前記ＵＥが前記スイッチコマンドに従って前記ＣＳドメインにスイッチした後に前記ＵＥのデフォルトＣＳ呼を解放又は保持するステップであって、前記デフォルトＣＳ呼は前記スイッチコマンドに従って前記ＵＥによって生成される、解放又は保持するステップと、前記ＵＥが、モバイル・スイッチング・センタＭＳＣを利用することによって、ＣＳ呼を発信するか、又はＣＳ呼を受信するステップとを有する方法が提供される。
【００１１】
第１の可能な実現方式では、当該方法は更に、前記ＵＥが、呼解放メッセージ又は呼保持メッセージを前記ＭＳＣに送信するステップを有し、前記呼解放メッセージ又は前記呼保持メッセージは、スイッチ準備プロセスにおいて前記ＭＳＣによって生成されるデフォルトＣＳ呼を解放又は保持するよう前記ＭＳＣに命令する。
【００１２】
第２の可能な実現方式では、前記ＵＥのデフォルトＣＳ呼を解放又は保持するステップの前に、当該方法は更に、前記ＵＥが、呼解放メッセージ又は呼保持メッセージを受信するステップを有し、前記呼解放メッセージ又は前記呼保持メッセージは前記ＭＳＣによって送信され、前記呼解放メッセージ又は前記呼保持メッセージは、前記デフォルトＣＳ呼を解放又は保持するよう前記ＵＥに命令し、前記ＵＥのデフォルトＣＳ呼を解放又は保持するステップは、前記ＵＥが、前記呼解放メッセージ又は前記呼保持メッセージに従って前記デフォルトＣＳ呼を解放又は保持するステップを有する。
【００１３】
第１の態様又は第１の態様の第１若しくは第２の可能な実現方式を参照して、第３の可能な実現方式では、前記ユーザ装置ＵＥが、回線交換フォールバックＣＳＦＢを実行するようリクエストするためのリクエストメッセージをモビリティ・マネージメント・エンティティＭＭＥに送信するステップの前に、当該方法は更に、前記ＵＥが、前記ＵＥによってサポートされる音声符号化／復号化能力及びシングル・ラジオ・ボイス・コール・コンティニュイティ（Ｓｉｎｇｌｅ  Ｒａｄｉｏ  Ｖｏｉｃｅ  Ｃａｌｌ  Ｃｏｎｔｉｎｕｉｔｙ，ＳＲＶＣＣ）能力を前記ＭＭＥに送信するステップを有する。
【００１４】
第２の態様によると、回線交換フォールバック方法であって、モバイル・スイッチング・センタＭＳＣが、モビリティ・マネージメント・エンティティＭＭＥによって送信され、ユーザ装置ＵＥをパケット交換ＰＳドメインから回線交換ＣＳドメインにスイッチするようリクエストするのに利用されるスイッチリクエストを受信するステップであって、前記スイッチリクエストは回線交換フォールバックＣＳＦＢ指示情報を有し、前記ＣＳＦＢ指示情報は、前記ＭＭＥが前記ＵＥによって送信され、ＣＳＦＢを実行するようリクエストするのに利用されるリクエストメッセージを受信するとき、前記スイッチリクエストが前記ＭＭＥによって送信されることを指示する、受信するステップと、前記ＭＳＣが、前記スイッチリクエストに従ってスイッチレスポンスメッセージを前記ＭＭＥに送信するステップと、前記ＭＳＣが、前記ＵＥによって送信されたスイッチ完了メッセージを受信するステップであって、前記スイッチ完了メッセージは、前記ＵＥが前記ＰＳドメインから前記ＣＳドメインへのスイッチをすでに完了したことを通知する、受信するステップと、前記ＭＳＣが、前記ＣＳＦＢ指示情報に従ってデフォルトＣＳ呼を解放又は保持するステップであって、前記デフォルトＣＳ呼は、前記ＭＳＣが前記スイッチリクエストメッセージを受信した後に前記ＭＳＣによって生成される、解放又は保持するステップと、前記ＭＳＣが、前記ＵＥがＣＳ呼を発信するか、又はＣＳ呼を受信するように、前記ＵＥとやりとりするステップとを有する方法が提供される。
【００１５】
第１の可能な実現方式では、前記デフォルトＣＳ呼を解放又は保持するステップの前に、当該方法は更に、前記ＭＳＣが、呼解放メッセージ又は呼保持メッセージを受信するステップを有し、前記呼解放メッセージ又は前記呼保持メッセージは前記ＵＥによって送信され、前記呼解放メッセージ又は前記呼保持メッセージは、前記デフォルトＣＳ呼を解放又は保持するよう前記ＭＳＣに命令し、前記デフォルトＣＳ呼を解放又は保持するステップは、前記ＭＳＣが、前記ＣＳＦＢ指示情報と、前記呼解放メッセージ又は前記呼保持メッセージとに従って前記デフォルトＣＳ呼を解放又は保持するステップを有する。
【００１６】
第２の可能な実現方式では、当該方法は更に、前記ＭＳＣが、呼解放メッセージ又は呼保持メッセージを前記ＵＥに送信するステップを有し、前記呼解放メッセージ又は前記呼保持メッセージは、前記ＵＥによって生成されたデフォルトＣＳ呼を解放又は保持するよう前記ＵＥに命令する。
【００１７】
第２の態様又は第２の態様の第１若しくは第２の可能な実現方式を参照して、第３の可能な実現方式では、前記ＣＳＦＢ指示情報は、ＳＲＶＣＣのための予め設定されたセッション・トランスファ・ナンバー・シングル・レシーバ（Ｓｅｓｓｉｏｎ  Ｔｒａｎｓｆｅｒ  Ｎｕｍｂｅｒ−Ｓｉｎｇｌｅ  Ｒａｄｉｏ，ＳＴＮ−ＳＲ）である。
【００１８】
第３の態様によると、回線交換フォールバック方法であって、モビリティ・マネージメント・エンティティＭＭＥが、ユーザ装置ＵＥによって送信され、回線交換フォールバックＣＳＦＢを実行するようリクエストするのに利用されるリクエストメッセージを受信するステップと、前記ＭＭＥが、Ｓ１インタフェースメッセージを進化型基地局ｅＮｏｄｅＢに送信するステップであって、前記Ｓ１インタフェースメッセージは、前記ＵＥをパケット交換ＰＳドメインから回線交換ＣＳドメインにスイッチするよう前記ｅＮｏｄｅＢに命令する、送信するステップと、前記ＭＭＥが、前記ｅＮｏｄｅＢによって送信され、前記ＵＥを前記ＰＳドメインから前記ＣＳドメインにスイッチするのに利用される第１のスイッチリクエストを受信するステップと、前記ＭＭＥが、前記ＵＥを前記ＰＳドメインから前記ＣＳドメインにスイッチするための第２のスイッチリクエストをＭＳＣに送信するステップであって、前記第２のスイッチリクエストは第２のＣＳＦＢ指示情報を有し、前記第２のＣＳＦＢ指示情報は、前記第２のスイッチリクエストが前記ＣＳＦＢを実行するため送信されることを指示する、送信するステップと、前記ＭＭＥが、前記ＭＳＣによって送信されたスイッチレスポンスメッセージを受信するステップと、前記ＭＭＥが、前記ｅＮｏｄｅＢに第１のスイッチコマンドを送信するステップであって、前記ｅＮｏｄｅＢが前記第１のスイッチコマンドを受信した後に、前記ｅＮｏｄｅＢは第２のスイッチコマンドを前記ＵＥに送信し、前記第２のスイッチコマンドは、前記ＰＳドメインから前記ＣＳドメインにスイッチするよう前記ＵＥに命令し、前記ＵＥが前記第２のスイッチコマンドに従って前記ＣＳドメインにスイッチした後に、前記ＵＥは、前記第２のスイッチコマンドに従って前記ＵＥによって生成されたデフォルトＣＳ呼を解放又は保持する、送信するステップとを有する方法が提供される。
【００１９】
第１の可能な実現方式では、前記第２のＣＳＦＢ指示情報は、予め設定されたＳＴＮ−ＳＲである。
【００２０】
第３の態様又は第３の態様の第１の可能な実現方式を参照して、第２の可能な実現方式では、前記第１のスイッチリクエストは第１のＣＳＦＢ指示情報を有し、前記第１のＣＳＦＢ指示情報は、前記第１のスイッチリクエストメッセージが前記ＣＳＦＢを実行するため送信されることを指示する。
【００２１】
第３の態様の第２の可能な実現方式を参照して、第３の可能な実現方式では、前記第１のＣＳＦＢ指示情報は、ＳＲＶＣＣスイッチ指示情報である。
【００２２】
第３の態様又は第３の態様の第１から第３の可能な実現方式の何れか１つの可能な実現方式を参照して、第４の可能な実現方式では、前記モビリティ・マネージメント・エンティティＭＭＥが、ユーザ装置ＵＥによって送信され、回線交換フォールバックＣＳＦＢを実行するようリクエストするのに利用されるリクエストメッセージを受信するステップの前に、当該方法は更に、前記ＭＭＥが、前記ＵＥによって送信され、前記ＵＥによってサポートされる音声符号化／復号化能力及びＳＲＶＣＣ能力を受信するステップを有する。
【００２３】
第４の態様によると、ユーザ装置ＵＥであって、回線交換フォールバックＣＳＦＢを実行するようリクエストするためのリクエストメッセージをモビリティ・マネージメント・エンティティＭＭＥに送信するよう構成される送信モジュールと、進化型基地局ｅＮｏｄｅＢによって送信されたスイッチコマンドを受信するよう構成される受信モジュールであって、前記スイッチコマンドはパケット交換ＰＳドメインから回線交換ＣＳドメインにスイッチするよう前記ＵＥに命令する、受信モジュールと、前記ＵＥが前記スイッチコマンドに従って前記ＣＳドメインにスイッチした後に前記ＵＥのデフォルトＣＳ呼を解放又は保持するよう構成される処理モジュールであって、前記デフォルトＣＳ呼は前記スイッチコマンドに従って前記ＵＥによって生成される、処理モジュールと、モバイル・スイッチング・センタＭＳＣを利用することによって、ＣＳ呼を発信するか、又はＣＳ呼を受信するよう構成される呼モジュールとを有するＵＥが提供される。
【００２４】
第１の可能な実現方式では、前記送信モジュールは更に、呼解放メッセージ又は呼保持メッセージを前記ＭＳＣに送信するよう構成され、前記呼解放メッセージ又は前記呼保持メッセージは、スイッチ準備プロセスにおいて前記ＭＳＣによって生成されるデフォルトＣＳ呼を解放又は保持するよう前記ＭＳＣに命令する。
【００２５】
第２の可能な実現方式では、前記受信モジュールは更に、呼解放メッセージ又は呼保持メッセージを受信するよう構成され、前記呼解放メッセージ又は前記呼保持メッセージは前記ＭＳＣによって送信され、前記呼解放メッセージ又は前記呼保持メッセージは、前記デフォルトＣＳ呼を解放又は保持するよう前記ＵＥに命令し、前記処理モジュールは、具体的には、前記呼解放メッセージ又は前記呼保持メッセージに従って前記デフォルトＣＳ呼を解放又は保持するよう構成される。
【００２６】
第４の態様又は第４の態様の第１若しくは第２の可能な実現方式を参照して、第３の可能な実現方式では、前記送信モジュールは更に、前記回線交換フォールバックＣＳＦＢを実行するようリクエストするためのリクエストメッセージを前記モビリティ・マネージメント・エンティティＭＭＥに送信する前に、サポートされる音声符号化／復号化能力及びサポートされるシングル・ラジオ・ボイス・コール・コンティニュイティＳＲＶＣＣ能力を前記ＭＭＥに送信するよう構成される。
【００２７】
第５の態様によると、モバイル・スイッチング・センタＭＳＣであって、モビリティ・マネージメント・エンティティＭＭＥによって送信され、ユーザ装置ＵＥをパケット交換ＰＳドメインから回線交換ＣＳドメインにスイッチするようリクエストするのに利用されるスイッチリクエストを受信するよう構成される受信モジュールであって、前記スイッチリクエストは回線交換フォールバックＣＳＦＢ指示情報を有し、前記ＣＳＦＢ指示情報は、前記ＭＭＥが前記ＵＥによって送信され、ＣＳＦＢを実行するようリクエストするのに利用されるリクエストメッセージを受信するとき、前記スイッチリクエストが前記ＭＭＥによって送信されることを指示する、受信モジュールと、前記スイッチリクエストに従ってスイッチレスポンスメッセージを前記ＭＭＥに送信するよう構成される送信モジュールと、前記受信モジュールは更に、前記ＵＥによって送信されたスイッチ完了メッセージを受信するよう構成され、前記スイッチ完了メッセージは、前記ＵＥが前記ＰＳドメインから前記ＣＳドメインへのスイッチをすでに完了したことを通知し、前記ＣＳＦＢ指示情報に従ってデフォルトＣＳ呼を解放又は保持するよう構成される処理モジュールであって、前記デフォルトＣＳ呼は、前記ＭＳＣが前記スイッチリクエストメッセージを受信した後に前記ＭＳＣによって生成される、処理モジュールと、前記ＵＥがＣＳ呼を発信するか、又はＣＳ呼を受信するように、前記ＵＥとやりとりするよう構成される呼モジュールとを有するＭＳＣが提供される。
【００２８】
第１の可能な実現方式では、前記受信モジュールは更に、呼解放メッセージ又は呼保持メッセージを受信するよう構成され、前記呼解放メッセージ又は前記呼保持メッセージは前記ＵＥによって送信され、前記呼解放メッセージ又は前記呼保持メッセージは、前記デフォルトＣＳ呼を解放又は保持するよう前記ＭＳＣに命令し、前記処理モジュールは、具体的には、前記ＣＳＦＢ指示情報と、前記呼解放メッセージ又は前記呼保持メッセージとに従って前記デフォルトＣＳ呼を解放又は保持するよう構成される。
【００２９】
第２の可能な実現方式では、前記送信モジュールは更に、呼解放メッセージ又は呼保持メッセージを前記ＵＥに送信するよう構成され、前記呼解放メッセージ又は前記呼保持メッセージは、前記ＵＥによって生成されたデフォルトＣＳ呼を解放又は保持するよう前記ＵＥに命令する。
【００３０】
第５の態様又は第５の態様の第１若しくは第２の可能な実現方式を参照して、第３の可能な実現方式では、前記ＣＳＦＢ指示情報は、予め設定されたＳＴＮ−ＳＲである。
【００３１】
第６の態様によると、モビリティ・マネージメント・エンティティＭＭＥであって、ユーザ装置ＵＥによって送信され、回線交換フォールバックＣＳＦＢを実行するようリクエストするのに利用されるリクエストメッセージを受信するよう構成される受信モジュールと、前記ＵＥをパケット交換ＰＳドメインから回線交換ＣＳドメインにスイッチすることを決定するよう構成される決定モジュールと、Ｓ１インタフェースメッセージを進化型基地局ｅＮｏｄｅＢに送信するよう構成される送信モジュールであって、前記Ｓ１インタフェースメッセージは、前記ＵＥを前記ＰＳドメインから前記ＣＳドメインにスイッチするよう前記ｅＮｏｄｅＢに命令する、送信モジュールとを有し、前記受信モジュールは更に、前記ｅＮｏｄｅＢによって送信され、前記ＵＥを前記ＰＳドメインから前記ＣＳドメインにスイッチするのに利用される第１のスイッチリクエストを受信するよう構成され、前記送信モジュールは更に、前記ＵＥを前記ＰＳドメインから前記ＣＳドメインにスイッチするための第２のスイッチリクエストをＭＳＣに送信するよう構成され、前記第２のスイッチリクエストは第２のＣＳＦＢ指示情報を有し、前記第２のＣＳＦＢ指示情報は、前記第２のスイッチリクエストが前記ＣＳＦＢを実行するため送信されることを指示し、前記受信モジュールは更に、前記ＭＳＣによって送信されたスイッチレスポンスメッセージを受信するよう構成され、前記送信モジュールは更に、前記ｅＮｏｄｅＢに第１のスイッチコマンドを送信するよう構成され、前記ｅＮｏｄｅＢが前記第１のスイッチコマンドを受信した後に、前記ｅＮｏｄｅＢは第２のスイッチコマンドを前記ＵＥに送信し、前記第２のスイッチコマンドは、前記ＰＳドメインから前記ＣＳドメインにスイッチするよう前記ＵＥに命令し、前記ＵＥが前記第２のスイッチコマンドに従って前記ＣＳドメインにスイッチした後に、前記ＵＥは、前記第２のスイッチコマンドに従って前記ＵＥによって生成されたデフォルトＣＳ呼を解放又は保持するＭＭＥが提供される。
【００３２】
第１の可能な実現方式では、前記第２のＣＳＦＢ指示情報は、予め設定されたＳＴＮ−ＳＲである。
【００３３】
第６の態様又は第６の態様の第１の可能な実現方式を参照して、第２の可能な実現方式では、前記第１のスイッチリクエストは第１のＣＳＦＢ指示情報を有し、前記第１のＣＳＦＢ指示情報は、前記第１のスイッチリクエストメッセージが前記ＣＳＦＢを実行するため送信される。
【００３４】
第６の態様の第２の可能な実現方式を参照して、第３の可能な実現方式では、前記第１のＣＳＦＢ指示情報は、ＳＲＶＣＣスイッチ指示情報である。
【００３５】
第６の態様又は第６の態様の第１から第３の可能な実現方式の何れか１つの実現方式を参照して、第４の可能な実現方式では、前記受信モジュールは更に、前記ユーザ装置ＵＥによって送信され、前記回線交換フォールバックＣＳＦＢを実行するようリクエストするのに利用されるリクエストメッセージを受信する前に、前記ＵＥによって送信され、前記ＵＥによってサポートされる音声符号化／復号化能力及びＳＲＶＣＣ能力を受信するよう構成される。
【００３６】
上記の技術的解決策に基づき、本発明の実施例では、ＵＥがＣＳＦＢをリクエストすると、ＵＥはＰＳドメインからＣＳドメインにスイッチするようトリガされ、スイッチ中に生成されたデフォルトＣＳ呼は、ＵＥがＣＳドメインにアクセスした後に解放又は保持され、それから、ＣＳ呼が発信されるか、又はＣＳ呼が受信され、ＰＳドメインからＣＳドメインへのＵＥによるスイッチの方式で回線交換フォールバックを実現できる。ＰＳドメインからＣＳドメインへのスイッチの方式で回線交換フォールバックを実現するプロセスでは、ＵＥはスイッチコマンドを受信することによってスイッチし、システム情報がＣＳドメインにおけるブロードキャストメッセージを読むことによって取得されることが回避され、従って、呼遅延が低減される。
【図面の簡単な説明】
【００３７】
本発明の実施例における技術的解決策をより明確に説明するため、以下は、本発明の実施例を説明するのに必要な添付図面を簡単に紹介する。明らかに、以下の説明における添付図面は本発明の単なるいくつかの実施例を示し、当業者は、創作的な努力なく、これらの添付図面から他の図面を依然として導出してもよい。
【図１】図１は、本発明の実施例によるシステムのアーキテクチャの概略図である。
【図２】図２は、本発明の実施例による回線交換フォールバック方法の概略的なフローチャートである。
【図３】図３は、本発明の実施例による回線交換フォールバック方法の他の概略的なフローチャートである。
【図４】図４は、本発明の実施例による回線交換フォールバック方法の更なる他の概略的なフローチャートである。
【図５】図５は、本発明の他の実施例による回線交換フォールバック方法の概略的なフローチャートである。
【図６】図６は、本発明の他の実施例による回線交換フォールバック方法の他の概略的なフローチャートである。
【図７】図７は、本発明の他の実施例による回線交換フォールバック方法の更なる他の概略的なフローチャートである。
【図８】図８は、本発明の更なる他の実施例による回線交換フォールバック方法の概略的なフローチャートである。
【図９】図９は、本発明の実施例による回線交換フォールバック方法の概略的なインタラクション図である。
【図１０】図１０は、本発明の実施例によるＵＥが呼を発信するケースにおけるプロトコルスタックの概略図である。
【図１１】図１１は、本発明の実施例による回線交換フォールバック方法の他の概略的なインタラクション図である。
【図１２】図１２は、本発明の実施例によるＵＥが発呼されるケースにおけるプロトコルスタックの概略図である。
【図１３】図１３は、本発明の実施例によるＵＥの概略的なブロック図である。
【図１４】図１４は、本発明の実施例によるＭＣＳの概略的なブロック図である。
【図１５】図１５は、本発明の実施例によるＭＭＥの概略的なブロック図である。
【図１６】図１６は、本発明の実施例によるＵＥの概略的な構成図である。
【図１７】図１７は、本発明の実施例によるＭＳＣの概略的な構成図である。
【図１８】図１８は、本発明の実施例によるＭＭＥの概略的な構成図である。
【発明を実施するための形態】
【００３８】
以下は、本発明の実施例における添付図面を参照して本発明の実施例における技術的解決策を明確且つ完全に説明する。明らかに、説明される実施例は本発明の実施例の全てでなく一部である。創作的な努力なく本発明の実施例に基づき当業者により取得される他の全ての実施例は本発明の保護範囲内に属する。
【００３９】
シングル・ラジオ・ボイス・コール・コンティニュイティ（ＳＲＶＣＣ）プロセスでは、ＵＥがＬＴＥ側にあるとき、呼はＶｏＩＰ呼であり、ＵＥが２Ｇ／３Ｇ側にあるとき、呼はＣＳ呼である。ＬＴＥ側のＶｏＩＰ呼が２Ｇ／３Ｇにフォールバックする必要があるとき、ｅＮＢはＰＳからＣＳにスイッチするためのリクエストメッセージをＭＭＥに発信し、ＭＭＥはＳＲＶＣＣスイッチを開始し、ＭＳＣはセッション・トランスファ・プロセスを開始し、ＭＳＣはＰＳからＣＳにスイッチするためのレスポンスメッセージをＭＭＥに送信し、ＭＭＥはスイッチコマンドをｅＮＢに送信し、ｅＮＢはスイッチコマンドをＵＥに送信する。
【００４０】
ＵＥがスイッチコマンドを受信し、ＰＳからＣＳにスイッチすることを決定した後、ＵＥはデフォルト呼を設定する必要があり、ここで、当該呼はＴＩ（ｔｒａｎｓａｃｔｉｏｎ  ＩＤ）により識別され、例えば、設定されるデフォルト呼はＴＩ＝０である。デフォルト呼はＬＴＥ側で設定されたＶｏＩＰを表し、ＵＥが呼に対する処理を以降に実行する場合、ＵＥは、ＴＩ＝０である呼に対して、リリース又はハングアップなどの処理などの処理を直接実行する。
【００４１】
しかしながら、ＭＴＣ又はＭＯＣ処理を実行するため、ＰＳからＣＳにスイッチする方式で回線交換ドメインにフォールバックする際、ＬＴＥ側にはＶｏＩＰ呼はないが、ＵＥは依然として既存の実現解決策においてデフォルト呼を設定し、ＭＳＣもまた対応してデフォルト呼を設定してもよい。このようにして、デフォルト呼はＵＥ及びＭＳＣ上に存在する。ＵＥが呼を発信するケースにおいて、ＭＳＣはピアＵＥに呼を発信せず、この結果、グローバルな観点から、呼は接続されない。従って、ＵＥはピアエンドとの音声呼を実現するため、アクセスが完了した後に新たな呼を発信する必要がある。しかしながら、新たな呼が設定される際に既存の呼のものと異なるＴＩが割り当てられ、ＭＳＣは、ＵＥが２つのＴＩを有すると理解し、ＭＳＣの誤った接続を生じさせる。ＵＥが発呼されるケースでは、ＭＳＣはまたデフォルト呼を設定し、ここで、当該呼はまたＵＥ及びＭＳＣのみに存在し、ピアエンドから発呼される側の情報がまたＭＳＣに存在し、この結果、ＭＳＣはまた、ＵＥが２つのＴＩを有すると理解し、ＭＳＣの誤った接続を生じさせる。さらに、モビリティ・マネージメント・エンティティの既存の処理手順は、ＰＳからＣＳへのスイッチの方式でのＣＳＦＢの実現をサポートしない。
【００４２】
本発明の実施例では、回線交換フォールバックは、ＵＥによるＰＳドメインからＣＳドメインへのスイッチの方式で実現される。ＵＥは、回線交換ドメインにフォールバックした後、スイッチプロセスにおいて生成されるデフォルトＣＳ呼を解放又は保持し、誤った接続が回避され、呼が設定されるように、ＣＳ呼を発信するか、又はＣＳドメイン呼を受信する。呼を設定する当該方式では、ＵＥはブロードキャスト方式でシステムメッセージを取得する必要なく、受信したスイッチコマンドに従ってＣＳドメインにスイッチし、従って、呼設定遅延が低減される。
【００４３】
本発明の実施例において、特定の記載がない場合、“第１の”及び“第２の”という用語は異なる情報又はコンテンツを単に区別することを意図しており、本発明の実施例を限定することを意図していないことが理解されるべきである。
【００４４】
図１は、本発明の実施例によるシステムのアーキテクチャの概略図である。図１に示されるように、Ｓｖインタフェースが、既存のアーキテクチャにおいてＭＭＥとＭＳＣとの間に加えられる。
【００４５】
本発明の本実施例では、各エンティティはまた装置として説明されてもよく、各エンティティは別の装置であってもよいし、又は他の装置に配置される装置であってもよいことが理解されるべきである。例えば、ＭＭＥ及びＭＳＣはまたＭＭＥ装置及びＭＳＣ装置として説明されてもよい。
【００４６】
図２は、本発明の実施例による回線交換フォールバック方法１００の概略的なフローチャートである。図２に示されるように、方法１００は以下を有する。
【００４７】
Ｓ１１０：ＵＥが、ＣＳＦＢを実行するようリクエストするためのリクエストメッセージをＭＭＥに送信する。
【００４８】
Ｓ１２０：ＵＥが、ｅＮｏｄｅＢによって送信されたスイッチコマンドを受信し、ここで、スイッチコマンドはＰＳドメインからＣＳドメインにスイッチするようＵＥに命令する。
【００４９】
Ｓ１３０：ＵＥがスイッチコマンドに従ってＣＳドメインにスイッチした後にＵＥのデフォルトＣＳ呼を解放又は保持し、ここで、デフォルトＣＳ呼はスイッチコマンドに従ってＵＥによって生成される。
【００５０】
Ｓ１４０：ＵＥが、ＭＳＣを利用することによって、ＣＳ呼を発信するか、又はＣＳ呼を受信する。
【００５１】
本発明の本実施例では、ＵＥが発呼側として機能し、すなわち、ＣＳ呼を発信するとき、又は、着呼側として機能し、すなわち、ＣＳ呼に応答するとき、ＵＥは、拡張サービスリクエストなど、ＣＳＦＢを実行することをリクエストするためのリクエストメッセージをＭＭＥに送信し、ネットワークは、ＰＳからＣＳにスイッチするようＵＥをトリガし、ＵＥがネットワーク側からスイッチコマンドを受信した後に、ＵＥはＣＳドメインにアクセスし、ＴＩ＝０である呼などのデフォルトＣＳ呼を生成し、それから、ＵＥは生成されたデフォルトＣＳ呼を解放又は保持し、すなわち、デフォルトＣＳ呼は利用されず、ＭＳＣを利用することによって、ＣＳ呼を発信するか、又はＣＳ呼を受信する。
【００５２】
従って、本発明の本実施例における回線交換フォールバック方法によると、ＵＥがＰＳドメインからＣＳドメインにスイッチする方式で回線交換フォールバックを実現した後に、ＵＥは、スイッチ中に生成されたデフォルト呼を解放又は保持し、ＣＳ呼を発信するか、又はＣＳ呼を受信し、これにより、ピアエンドとの呼を実現する。
【００５３】
本発明の本実施例における技術的解決策が、ＳＲＶＣＣをサポートするシステムなど、ＰＳからＣＳへのスイッチをサポートする各種システムに適用可能であることが理解されるべきである。
【００５４】
Ｓ１１０において、ＵＥは、回線交換ＣＳＦＢを実行することをリクエストするためのリクエストメッセージをＭＭＥに送信する。
【００５５】
具体的には、ＵＥがＣＳ呼を発信する必要があるか、又はＵＥがＣＳページングメッセージを受信すると、ＵＥは、ＣＳドメインにフォールバックする必要があり、従って、ＵＥは拡張サービスリクエストをＭＭＥに送信し、ＣＳＦＢをリクエストする。
【００５６】
ＭＭＥがＵＥによって送信された拡張サービスリクエストを受信した後、ＭＭＥは、ネットワークがＰＳからＣＳへのスイッチをサポートしているか判断してもよく、ネットワークがＰＳからＣＳへのスイッチをサポートしているとＭＭＥが判断すると、ＭＭＥは、Ｓ１−ＡＰメッセージなどのＳ１インタフェースメッセージをｅＮｏｄｅＢに送信する。あるいは、ネットワークがＰＳからＣＳへのスイッチをサポートしているか否か判断される必要がない場合、例えば、ネットワークがデフォルトでＰＳからＣＳへのスイッチをサポートしている場合、ＭＭＥは、Ｓ１インタフェースメッセージをｅＮｏｄｅＢに直接送信してもよい。ＭＭＥは、拡張サービスリクエストを受信した後、ＰＳドメイン、すなわち、ＬＴＥネットワークのＰＳドメインから２Ｇ又は３ＧネットワークのＣＳドメインにＵＥをスイッチすることを命令するためにＳ１インタフェースメッセージを送信し、従って、スイッチはＣＳＦＢによってトリガされるスイッチである。Ｓ１インタフェースメッセージは、ＵＥをＰＳドメインからＣＳドメインにスイッチするようｅＮｏｄｅＢに命令する。例えば、Ｓ１インタフェースメッセージは指示情報を有し、ここで、指示情報はＵＥをＰＳドメインからＣＳドメインにスイッチするようｅＮｏｄｅＢに命令するのに利用される。既存のＣＳＦＢ指示情報と区別するため、指示情報はエンハンストＣＳＦＢ指示情報として参照されてもよい。Ｓ１−ＡＰメッセージは、イニシャル・コンテクスト・セットアップ・リクエスト・メッセージ（ＩＮＩＴＩＡＬ  ＣＯＮＴＥＸＴ  ＳＥＴＵＰ  ＲＥＱＵＥＳＴ）又はＵＥコンテクスト・モディフィケーション・リクエスト・メッセージ（ＵＥ  ＣＯＮＴＥＸＴ  ＭＯＤＩＦＩＣＡＴＩＯＮ  ＲＥＱＵＥＳＴ）であってもよい。エンハンストＣＳＦＢ指示情報は、Ｓ１−ＡＰメッセージに加えられる別の指示情報の一部であってもよいし、又は、既存のＣＳＦＢ指示に加えられる指示情報の一部であってもよい。
【００５７】
Ｓ１−ＡＰメッセージを受信した後、ｅＮｏｄｅＢは、エンハンストＣＳＦＢ指示情報に従って、ユニバーサル・モバイル・テレコミュニケーションズ・システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ，ＵＭＴＳ）又はグローバル・システム・フォー・モバイル・コミュニケーションズ（Ｇｌｏｂａｌ  Ｓｙｓｔｅｍ  ｏｆ  Ｍｏｂｉｌｅ  ｃｏｍｍｕｎｉｃａｔｉｏｎ，ＧＳＭ）のＣＳドメインへのスイッチを実行する。さらに、ネットワークがユニバーサル・テレストリアル・ラジオ・アクセス・ネットワーク（Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ，ＵＴＲＡＮ）又はＧＳＭ／エンハンスト・データ・レート・フォー・ＧＳＭエボリューション（Ｅｎｈａｎｃｅｄ  Ｄａｔａ  Ｒａｔｅ  ｆｏｒ  ＧＳＭ  Ｅｖｏｌｕｔｉｏｎ，ＥＤＧＥ）ラジオ・アクセス・ネットワーク（ＧＳＭ／ＥＤＧＥ  Ｒａｄｉｏ  Ａｃｃｅｓｓ  Ｎｅｔｗｏｒｋ，ＧＥＲＡＮ）のＰＳスイッチをサポートしている場合、ｅＮｏｄｅＢはまた、ＵＴＲＡＮ又はＧＥＲＡＮのＰＳスイッチを同時にトリガしてもよい。それから、ｅＮｏｄｅＢは、ＵＥをＰＳドメインからＣＳドメインにスイッチするための第１のスイッチリクエストをＭＭＥに送信する。第１のスイッチリクエストは第１のＣＳＦＢ指示情報を有してもよく、第１のＣＳＦＢ指示情報は、第１のスイッチリクエストメッセージがＣＳＦＢを実行するため送信されることを指示し、すなわち、第１のスイッチリクエストがＣＳＦＢによってトリガされることを指示する。任意的には、第１のＣＳＦＢ指示情報はＣＳＦＢ指示及びＳＲＶＣＣスイッチ指示であってもよく、ＰＳからＣＳへのＵＥのスイッチはＣＳＦＢによってトリガされることを指示する。あるいは、第１のＣＳＦＢ指示情報はＳＲＶＣＣスイッチ指示情報であり、ＭＭＥは、ＳＲＶＣＣスイッチ指示情報及び保存されたセッション・トランスファ・ナンバー−シングル・ラジオ（Ｓｅｓｓｉｏｎ  Ｔｒａｎｓｆｅｒ  Ｎｕｍｂｅｒ−Ｓｉｎｇｌｅ  Ｒａｄｉｏ，ＳＴＮ−ＳＲ）に従って、第１のスイッチリクエストがＣＳＦＢによってトリガされることを決定し、又は、ＭＭＥは、ＳＲＶＣＣスイッチ指示情報及び保存されたＣＳＦＢ状態に従って、第１のスイッチリクエストがＣＳＦＢによってトリガされることを決定する。
【００５８】
ｅＮｏｄｅＢによって送信される第１のスイッチリクエストを受信した後、ＭＭＥは、第１のＣＳＦＢ指示情報に従って、第１のスイッチリクエストメッセージがＣＳＦＢを実行するため送信されることを決定してもよい。あるいは、ＵＥの拡張サービスリクエストを以前に受信した際、ＭＭＥは、ＣＳＦＢ状態が発生することを記録するためＣＳＦＢ状態を追加し、第１のスイッチリクエストを受信した際に記録されたＣＳＦＢ状態に従って、ＰＳからＣＳへのＵＥのスイッチがＣＳＦＢによってトリガされ、すなわち、第１のスイッチリクエストがＣＳＦＢを実行するため送信されることを決定する。
【００５９】
それから、ＭＭＥは、ＵＥをＰＳドメインからＣＳドメインにスイッチするための第２のスイッチリクエストをＭＳＣに送信し、ここで、第２のスイッチリクエストは第２のＣＳＦＢ指示情報を有し、第２のＣＳＦＢ指示情報は、第２のスイッチリクエストがＣＳＦＢを実行するため送信されることを指示し、すなわち、第２のスイッチリクエストがＣＳＦＢによってトリガされる。任意的には、第２のＣＳＦＢ指示情報は、別の指示であってもよいし、又は予め設定されたＳＴＮ−ＳＲであってもよい。すなわち、ＭＭＥは、スイッチリクエストを利用して特殊なＳＴＮ−ＳＲを搬送し、ＭＳＣは、特殊なＳＴＮ−ＳＲに従って、ＣＳＦＢについてスイッチプロセスが実行されることを決定し、ここで、特殊な番号がＭＭＥ及びＭＳＣに対して予め設定されてもよい。
【００６０】
任意的には、Ｓ１１０の前に、方法１００は更に、
ＵＥが、サポートされる音声符号化／復号化能力及びサポートされるＳＲＶＣＣ能力をＭＭＥに送信することを有する。
【００６１】
例えば、ＵＥは、ネットワークアタッチメントプロシージャ又はトラッキングエリアアップデート（Ｔｒａｃｋｉｎｇ  Ａｒｅａ  Ｕｐｄａｔｅ，ＴＡＵ）プロシージャにおいてサポートされる音声符号化／復号化能力及びサポートされるＳＲＶＣＣ能力（例えば、クラスマーク（ｃｌａｓｓｍａｒｋ）２又はＣｌａｓｓｍａｒｋ  ３）を報告する。
【００６２】
任意的には、ＭＭＥは、ＵＥによって報告されたサポートされる音声符号化／復号化をＭＳＣに送信する。
【００６３】
ＭＭＥによって送信されたスイッチリクエスト（すなわち、第２のスイッチリクエスト）を受信した後、ＭＳＣは、ＰＳドメインからＣＳドメインへのＵＥのスイッチのためスイッチ準備を行い、ＴＩ＝０となる呼などのデフォルトＣＳ呼を生成するためリソースを確保する。あるいは、ＭＳＣは、スイッチリクエストに含まれるＣＳＦＢ指示情報（すなわち、第２のＣＳＦＢ指示情報）に従って、ＴＩ＝０となる呼を生成しない。ＭＳＣは、イニシャル・アドレス・メッセージ（Ｉｎｉｔｉａｌ  Ａｄｄｒｅｓｓ  Ｍｅｓｓａｇｅ，ＩＡＭ）又はＩＮＶＩＴＥ（ＩＮＶＩＴＥ）を送信しない。任意的には、ＭＳＣは、ＭＳＣ間スイッチをトリガする必要があり得る。スイッチ準備が完了した後、ＭＳＣは、スイッチレスポンスメッセージをＭＭＥに送信する。
【００６４】
任意的には、ＭＭＥは、ＰＳからＰＳへのスイッチをトリガするため、スイッチリクエストをサービング・ジェネラル・パケット・ラジオ・サービス（Ｇｅｎｅｒａｌ  Ｐａｃｋｅｔ  Ｒａｄｉｏ  Ｓｅｒｖｉｃｅ，ＧＰＲＳ）サポートノード（Ｓｅｒｖｉｎｇ  ＧＰＲＳ  Ｓｕｐｐｏｒｔ  Ｎｏｄｅ，ＳＧＳＮ）に送信する。
【００６５】
ＭＳＣによって送信されたスイッチレスポンスメッセージを受信した後、ＭＭＥは第１のスイッチコマンドをｅＮｏｄｅＢに送信し、ｅＮｏｄｅＢは第２のスイッチコマンドをＵＥに送信し、ここで、第２のスイッチコマンドは、ＰＳドメインからＣＳドメインにスイッチするようＵＥに命令する。任意的には、ＰＳからＰＳへのスイッチがまたトリガされる場合、ＭＭＥは、ＰＳからＣＳにスイッチするためのレスポンスと、ＰＳからＰＳにスイッチするためのレスポンスとを調整し、ＭＭＥは、これら２つのメッセージを合成し、ＰＳトランスペアレントコンテナ及びＣＳトランスペアレントコンテナを合成し、ここで、ＭＭＥによってｅＮｏｄｅＢに送信されるスイッチコマンドは、合成されたトランスペアレントコンテナを有する。任意的には、ｅＮｏｄｅＢは、ＣＳＦＢ指示をＵＥに送信されるスイッチコマンドに加える。ＵＥのアクセスが失敗すると、ＵＥがＣＳＦＢ指示を受信した場合、ＵＥは、利用可能な２Ｇ又は３Ｇネットワークを選択する。
【００６６】
Ｓ１２０において、ＵＥは、ｅＮｏｄｅＢによって送信されたスイッチコマンド（すなわち、第２のスイッチコマンド）を受信し、ここで、スイッチコマンドは、ＰＳドメインからＣＳドメインにスイッチするようＵＥに命令する。
【００６７】
Ｓ１３０において、ＵＥは、ＵＥがスイッチコマンドに従ってＣＳドメインにスイッチした後、ＵＥのデフォルトＣＳ呼を解放又は保持する。
【００６８】
ＵＥは、スイッチコマンドに従ってＧＥＲＡＮ／ＵＴＲＡＮネットワークにアクセスし、ＴＩ＝０である呼などのデフォルトＣＳ呼を自動的に生成する。ＵＥは、スイッチを完了した後に基地局サブシステム（Ｂａｓｅ  Ｓｔａｔｉｏｎ  Ｓｕｂｓｙｓｔｅｍ，ＢＳＳ）又は無線ネットワークサブシステム（Ｒａｄｉｏ  Ｎｅｔｗｏｒｋ  Ｓｕｂｓｙｓｔｅｍ，ＲＮＳ）にスイッチ完了メッセージを送信し、ＢＳＳ又はＲＮＳは、スイッチ完了メッセージをＭＳＣに送信する。
【００６９】
新たな呼は、スイッチプロセスにおいて生成されたデフォルトＣＳ呼が解放又は保持された後にのみ継続可能である。
【００７０】
任意的には、図３に示されるように、方法１００は更に以下を有する。
【００７１】
Ｓ１５０：ＵＥが、呼解放メッセージ又は呼保持メッセージをＭＳＣに送信し、ここで、呼解放メッセージ又は呼保持メッセージは、スイッチ準備プロセスにおいてＭＳＣによって生成されるデフォルトＣＳ呼を解放又は保持するようＭＳＣに命令する。
【００７２】
具体的には、本発明の本実施例において、ＵＥは、ＴＩ＝０である自動生成された呼を解放又は保持し、呼解放メッセージ（ｄｉｓｃｏｎｎｅｃｔ）又は呼保持メッセージ（ｈｏｌｄ）をＭＳＣに送信し、ここで、呼解放メッセージ又は呼保持メッセージに含まれるＴＩは０であり、ＭＳＣは、ＣＳＦＢ指示情報と、呼解放メッセージ又は呼保持メッセージとに従って、ＴＩ＝０であって、スイッチ準備プロセスにおいてＭＳＣによって生成された呼を解放又は保持する。ＭＳＣは、メッセージを発呼側ピアオフィスに送信せず、ｉｕリリース（ｒｅｌｅａｓｅ）も実行しない。呼保持メッセージについて、ＭＳＣは保持アクノリッジメント（ｈｏｌｄ  ａｃｋｎｏｗｌｅｄｇｅｍｅｎｔ）によってＵＥにリプライし、呼解放メッセージについて、ＭＳＣはレスポンスメッセージをＵＥに送信しない。
【００７３】
任意的には、図４に示されるように、ＵＥのデフォルトＣＳ呼が解放又は保持される前に、方法１００は更に以下を有する。
【００７４】
Ｓ１６０：ＵＥが、呼解放メッセージ又は呼保持メッセージを受信し、ここで、呼解放メッセージ又は呼保持メッセージはＭＳＣによって送信され、呼解放メッセージ又は呼保持メッセージは、デフォルトＣＳ呼を解放又は保持するようＵＥに命令する。
【００７５】
ＵＥのデフォルトＣＳ呼を解放又は保持することは、以下を有する。
【００７６】
Ｓ１３１：ＵＥが、呼解放メッセージ又は呼保持メッセージに従ってデフォルトＣＳ呼を解放又は保持する。
【００７７】
本発明の本実施例では、ＭＳＣは、呼解放メッセージ又は呼保持メッセージをＵＥに送信し、すなわち、ＭＳＣは、ＣＳＦＢ指示情報に従って、ＴＩ＝０であって、スイッチ準備プロセスにおいてＭＳＣによって生成される呼を解放又は保持する。ＭＳＣはｉｕ  ｒｅｌｅａｓｅを送信せず、ＭＳＣは呼解放メッセージ又は呼保持メッセージをＵＥに送信し、ここで、呼解放メッセージ又は呼保持メッセージに含まれるＴＩは０であり、ＵＥは、呼解放メッセージ又は呼保持メッセージに従って、ＴＩ＝０であって、ＵＥによって生成される呼を解放又は保持する。
【００７８】
任意的には、ＵＥは、スイッチコマンドにおけるＣＳＦＢ指示に従って、ＴＩ＝０である呼を自動生成せず、対応して、ＭＳＣは、ＭＭＥによって送信されたスイッチリクエストに含まれるＣＳＦＢ指示情報に従って、ＴＩ＝０である呼を生成しない。
【００７９】
ステップＳ１４０において、ＭＳＣを利用することによって、ＵＥは、ＣＳ呼を発信するか、又はＣＳ呼を受信する。
【００８０】
デフォルト呼を解放又は保持した後、ＭＳＣを利用することによって、ＵＥはＣＳ呼を発信するか、又はＣＳ呼を受信し、ピアエンドとの呼を実現する。
【００８１】
具体的には、ＵＥが呼を発信すると、ＴＩ＝０である呼を解放又は保持した後、ＵＥは、接続管理サービスリクエスト（ＣＭ  Ｓｅｒｖｉｃｅ  Ｒｅｑｕｅｓｔ）プロセスをトリガし、ＭＳＣは認証プロセスをトリガし、ＵＥはＣＳ呼設定メッセージ、すなわち、ＳｅｔｕｐをＭＳＣに送信し、ここで、ＣＳ呼設定メッセージは発呼される番号を有する。ＭＳＣは、ＣＳ呼設定メッセージを受信し、ＣＳ呼設定メッセージに従って出力呼を送信する。ＭＳＣがＴＩ＝０であるＣＳ呼を以前に生成している場合、ＣＳ呼設定メッセージはＴＩ＝Ｙを有し、ここで、Ｙは０でなく、ＭＳＣはＴＩをＹに更新する。
【００８２】
ＵＥが発呼されると、ＴＩ＝０である呼を解放又は保持した後、ＭＳＣは、ＣＳ呼設定メッセージ、すなわち、ＳｅｔｕｐをＵＥに送信し、ここで、ＣＳ呼設定メッセージは発呼する番号を有し、現在の呼を完了する。
【００８３】
このようにして、本発明の本実施例における回線交換フォールバック方法によると、ＣＳＦＢはＰＳドメインからＣＳドメインにスイッチするようＵＥをトリガし、スイッチ中に生成されたデフォルトＣＳ呼は、ＵＥがＣＳドメインにアクセスした後に解放又は保持され、それから、ＣＳ呼が発信されるか、又はＣＳ呼が受信され、これにより、誤った接続が回避され、呼が設定される。呼を設定する当該方式では、ＵＥは、ブロードキャスト方式でシステムメッセージを取得する必要なく、受信したスイッチコマンドに従ってＣＳドメインにスイッチし、これにより、呼設定遅延が低減される。
【００８４】
本発明の実施例における回線交換フォールバック方法は、ＵＥの観点から上記において詳細に説明され、本発明の実施例における回線交換フォールバック方法は、ＭＳＣの観点から以下で説明される。
【００８５】
図５は、本発明の他の実施例による回線交換フォールバック方法２００の概略的なフローチャートである。図５に示されるように、方法２００は以下を有する。
【００８６】
Ｓ２１０：ＭＳＣが、ＭＭＥによって送信され、ＵＥをＰＳドメインからＣＳドメインにスイッチするようリクエストするのに利用されるスイッチリクエストを受信し、ここで、スイッチリクエストはＣＳＦＢ指示情報を有し、ＣＳＦＢ指示情報は、ＭＭＥがＵＥによって送信され、ＣＳＦＢを実行するようリクエストするのに利用されるリクエストメッセージを受信するとき、スイッチリクエストがＭＭＥによって送信されることを指示する。
【００８７】
Ｓ２２０：ＭＳＣが、スイッチリクエストに従ってスイッチレスポンスメッセージをＭＭＥに送信する。
【００８８】
Ｓ２３０：ＭＳＣが、ＵＥによって送信されたスイッチ完了メッセージを受信し、ここで、スイッチ完了メッセージは、ＵＥがＰＳドメインからＣＳドメインへのスイッチをすでに完了したことを通知する。
【００８９】
Ｓ２４０：ＭＳＣが、ＣＳＦＢ指示情報に従ってデフォルトＣＳ呼を解放又は保持し、ここで、デフォルトＣＳ呼は、ＭＳＣがスイッチリクエストメッセージを受信した後にＭＳＣによって生成される。
【００９０】
Ｓ２５０：ＭＳＣが、ＵＥがＣＳ呼を発信するか、又はＣＳ呼を受信するように、ＵＥとやりとりする。
【００９１】
本発明の本実施例では、ＭＳＣは、ＭＭＥによって送信され、ＵＥをＰＳドメインからＣＳドメインにスイッチするのに利用されるスイッチリクエストを受信し、スイッチリクエストに含まれるＣＳＦＢ指示情報に従って、ＭＭＥがＵＥによって送信され、ＣＳＦＢを実行することをリクエストするため利用されるリクエストメッセージを受信すると、スイッチリクエストがＭＭＥによって送信されることを決定し、すなわち、スイッチリクエストがＣＳＦＢによってトリガされる。それから、ＭＳＣは、スイッチリクエストに従って、ＰＳからＣＳへのＵＥのスイッチのためのスイッチ準備を行い、ＴＩ＝０である呼などのデフォルト呼を生成し、スイッチ準備が完了した後、ＭＳＣは、スイッチレスポンスメッセージをＭＭＥに送信する。ＭＭＥは、スイッチコマンドをｅＮｏｄｅＢに送信し、ｅＮｏｄｅＢはスイッチコマンドをＵＥに送信し、ＵＥはＣＳドメインにアクセスする。ＵＥがＣＳドメインにアクセスした後、ＭＳＣは、ＣＳＦＢ指示情報に従って、ＭＳＣによって生成されたデフォルトＣＳ呼を解放又は保持し、すなわち、デフォルトＣＳ呼は利用されず、それから、ＵＥはＣＳ呼を発信するか、又はＣＳ呼を受信し、すなわち、ＵＥとピアエンドとの間の呼を実現するためにＵＥのための新たなＣＳ呼を設定するように、ＵＥとやりとりする。
【００９２】
従って、本発明の本実施例における回線交換フォールバック方法によると、ＵＥがＣＳドメインにアクセスした後、スイッチ中に生成されたデフォルトＣＳ呼が解放又は保持され、それから、新たなＣＳ呼が設定され、ＰＳドメインからＣＳドメインへのＵＥによりスイッチの方式で回線交換フォールバックを実現し、遅延を低減することが可能であり、これにより、ユーザ体感を向上させることができる。
【００９３】
任意的には、図６に示されるように、デフォルトＣＳ呼が解放又は保持される前に、方法２００は更に以下を有する。
【００９４】
Ｓ２６０：ＭＳＣが、呼解放メッセージ又は呼保持メッセージを受信し、ここで、呼解放メッセージ又は呼保持メッセージはＵＥによって送信され、呼解放メッセージ又は呼保持メッセージは、デフォルトＣＳ呼を解放又は保持するようＭＳＣに命令する。
【００９５】
デフォルトＣＳ呼を解放又は保持することは、以下を有する。
【００９６】
Ｓ２４１：ＭＳＣが、ＣＳＦＢ指示情報と、呼解放メッセージ又は呼保持メッセージとに従ってデフォルトＣＳ呼を解放又は保持する。
【００９７】
本発明の本実施例では、ＵＥは、呼解放メッセージ又は呼保持メッセージをＭＳＣに送信し、すなわち、ＵＥは、ＴＩ＝０である自動生成された呼を解放又は保持し、呼解放メッセージ又は呼保持メッセージをＭＳＣに送信し、ここで、呼解放メッセージ又は呼保持メッセージに含まれるＴＩは０であり、ＭＳＣは、ＣＳＦＢ指示情報と、呼解放メッセージ又は呼保持メッセージとに従って、ＴＩ＝０であって、スイッチ準備プロセスにおいてＭＳＣによって生成される呼を解放又は保持する。ＭＳＣは、メッセージを発呼側ピアオフィスに送信せず、またｉｕ  ｒｅｌｅａｓｅも実行しない。呼保持メッセージについて、ＭＳＣは、保持アクノリッジメント（ｈｏｌｄ  ａｃｋｎｏｗｌｅｄｇｅ）によりＵＥにリプライし、呼解放メッセージについて、ＭＳＣは、レスポンスメッセージをＵＥに送信しない。
【００９８】
任意的には、図７に示されるように、方法２００は更に以下を有する。
【００９９】
Ｓ２７０：ＭＳＣは、呼解放メッセージ又は呼保持メッセージをＵＥに送信し、ここで、呼解放メッセージ又は呼保持メッセージは、ＵＥによって生成されるデフォルトＣＳ呼を解放又は保持するようＵＥに命令する。
【０１００】
本発明の本実施例では、ＭＳＣは、呼解放メッセージ又は呼保持メッセージをＵＥに送信し、すなわち、ＭＳＣは、ＣＳＦＢ指示情報に従って、ＴＩ＝０であって、スイッチ準備プロセスにおいてＭＳＣによって生成される呼を解放又は保持する。ＭＳＣは、ｉｕ  ｒｅｌｅａｓｅを送信せず、ＭＳＣは、呼解放メッセージ又は呼保持メッセージをＵＥに送信し、ここで、呼解放メッセージ又は呼保持メッセージに含まれるＴＩは０であり、ＵＥは、呼解放メッセージ又は呼保持メッセージに従って、ＴＩ＝０であって、ＵＥによって生成される呼を解放又は保持する。
【０１０１】
任意的には、ＭＳＣは、ＭＭＥによって送信されるスイッチリクエストに含まれるＣＳＦＢ指示情報に従って、スイッチ準備プロセスにおいてＴＩ＝０である呼を自動生成しなくてもよく、対応して、ＵＥは、スイッチコマンドにおけるＣＳＦＢ指示に従って、ＴＩ＝０である呼を生成しなくてもよい。
【０１０２】
本発明の本実施例では、任意的には、ＣＳＦＢ指示情報は予め設定されたＳＴＮ−ＳＲである。すなわち、ＭＭＥは、スイッチリクエストを利用して特殊なＳＴＮ−ＳＲ値を搬送し、ＭＳＣは、特殊なＳＴＮ−ＳＲ値に従って、ＣＳＦＢについてスイッチプロセスが実行されることを決定し、ここで、特殊な値は、ＭＭＥ及びＭＳＣに対して予め設定されてもよい。
【０１０３】
本発明の本実施例では、ＵＥ側に関して説明されたＵＥ、ＭＳＣ、ＭＭＥ及びｅＮｏｄｅＢの間のインタラクション、関連する性質、機能などがＭＳＣ側に関して説明されるものに対応することが理解されるべきであり、簡単化のため、詳細な説明はここでは再度は提供されない。
【０１０４】
従って、本発明の本実施例における回線交換フォールバック方法によると、ＵＥがＣＳドメインにアクセスした後、スイッチ中に生成されたデフォルトＣＳ呼が解放又は保持され、それから、新たなＣＳ呼が設定され、ＰＳドメインからＣＳドメインへのＵＥによるスイッチの方式で回線交換フォールバックを実現できる。
【０１０５】
本発明の実施例における回線交換フォールバック方法は、ＵＥ及びＭＳＣの観点から上記で詳細に説明され、本発明の実施例における回線交換フォールバック方法は、ＭＭＥの観点から以下で説明される。
【０１０６】
図８は、本発明の更なる他の実施例による回線交換フォールバック方法３００の概略的なフローチャートである。図８に示されるように、方法３００は以下を有する。
【０１０７】
Ｓ３１０：ＭＭＥが、ＵＥによって送信され、ＣＳＦＢを実行するようリクエストするのに利用されるリクエストメッセージを受信する。
【０１０８】
Ｓ３２０：ＭＭＥが、Ｓ１インタフェースメッセージをｅＮｏｄｅＢに送信し、ここで、Ｓ１インタフェースメッセージは、ＵＥをＰＳドメインからＣＳドメインにスイッチするようｅＮｏｄｅＢに命令する。
【０１０９】
Ｓ３３０：ＭＭＥが、ｅＮｏｄｅＢによって送信され、ＵＥをＰＳドメインからＣＳドメインにスイッチするのに利用される第１のスイッチリクエストを受信する。
【０１１０】
Ｓ３４０：ＭＭＥが、ＵＥをＰＳドメインからＣＳドメインにスイッチするための第２のスイッチリクエストをＭＳＣに送信し、ここで、第２のスイッチリクエストは第２のＣＳＦＢ指示情報を有し、第２のＣＳＦＢ指示情報は、第２のスイッチリクエストがＣＳＦＢを実行するため送信されることを指示する。
【０１１１】
Ｓ３５０：ＭＭＥが、ＭＳＣによって送信されたスイッチレスポンスメッセージを受信する。
【０１１２】
Ｓ３６０：ＭＭＥが、ｅＮｏｄｅＢに第１のスイッチコマンドを送信し、ｅＮｏｄｅＢが第１のスイッチコマンドを受信した後に、ｅＮｏｄｅＢは第２のスイッチコマンドをＵＥに送信し、第２のスイッチコマンドは、ＰＳドメインからＣＳドメインにスイッチするようＵＥに命令し、ＵＥが第２のスイッチコマンドに従ってＣＳドメインにスイッチした後に、ＵＥは、第２のスイッチコマンドに従ってＵＥによって生成されたデフォルトＣＳ呼を解放又は保持する。
【０１１３】
本発明の本実施例では、例えば、ＣＳＦＢをリクエストするための拡張サービスリクエストなど、ＵＥによって送信され、ＣＳＦＢを実行することをリクエストするのに利用されるリクエストメッセージを受信した後、ＭＭＥは、ＰＳからＣＳにスイッチするようＵＥをトリガする。スイッチ準備を完了した後、ＭＳＣは、ＰＳからＣＳにスイッチするようＵＥに命令するためのスイッチコマンドをＵＥに送信する。ＵＥは、スイッチコマンドに従ってＣＳドメインにアクセスする。ＵＥがＣＳドメインにアクセスした後、ＵＥ及びＭＳＣは、スイッチ中に自動生成されるデフォルトＣＳ呼を解放又は保持し、新たなＣＳ呼を設定する。
【０１１４】
本発明の本実施例では、回線交換フォールバックは、ＰＳドメインからＣＳドメインへのＵＥによるスイッチの方式で実現される。ＵＥは、回線交換ドメインにフォールバックした後、スイッチプロセスにおいて生成されたデフォルトＣＳ呼を解放又は保持し、ＣＳ呼を発信するか、又はＣＳドメイン呼を受信し、これにより、誤った接続が回避され、呼が設定される。当該呼を設定する方式では、ＵＥは、ブロードキャスト方式でシステムメッセージを取得する必要なく、受信したシステムコマンドに従ってＣＳドメインにスイッチし、従って、呼設定遅延が低減される。
【０１１５】
本発明の本実施例では、任意的には、第２のＣＳＦＢ指示情報は予め設定されたＳＴＮ−ＳＲである。すなわち、ＭＭＥはスイッチリクエストを利用して特殊なＳＴＮ−ＳＲ値を搬送し、ＭＳＣは、特殊なＳＴＮ−ＳＲ値に従って、ＣＳＦＢについてスイッチプロセスが実行されることを決定し、ここで、特殊な値はＭＭＥ及びＭＳＣに対して予め設定されてもよい。
【０１１６】
本発明の本実施例では、任意的には、第１のスイッチリクエストは第１のＣＳＦＢ指示情報を有し、第１のＣＳＦＢ指示情報は、第１のスイッチリクエストメッセージがＣＳＦＢを実行するため送信されることを指示する。
【０１１７】
任意的には、第１のＣＳＦＢ指示情報は、ＳＲＶＣＣスイッチ指示情報である。
【０１１８】
本発明の本実施例では、任意的には、Ｓ３１０の前に、方法３００は更に、
ＭＭＥが、ＵＥによって送信されるサポートされる音声符号化／復号化能力及びサポートされるＳＲＶＣＣ能力を受信することを有する。
【０１１９】
例えば、ＵＥは、ネットワークアタッチメントプロシージャ又はＴＡＵプロシージャにおいて、サポートされる音声符号化／復号化能力及びサポートされるＳＲＶＣＣ能力（例えば、ｃｌａｓｓｍａｒｋ  ２又はＣｌａｓｓｍａｒｋ  ３）を報告する。
【０１２０】
任意的には、ＭＭＥは、ＵＥによって報告されたサポートされる音声符号化／復号化をＭＳＣに送信する。
【０１２１】
本発明の本実施例では、ＵＥ側について説明されるＵＥ、ＭＳＣ、ＭＭＥ及びｅＮｏｄｅＢの間のインタラクション、関連する性質、機能などはＭＭＥ側について説明されるものに対応することが理解されるべきであり、簡単化のため、詳細な説明はここでは再度は提供されない。
【０１２２】
本発明の実施例における回線交換フォールバック方法は、ＵＥ、ＭＳＣ及びＭＭＥの観点から上記において詳細に説明され、本発明の実施例は、特定の具体例を参照して以下で詳細に説明される。これらの具体例は、単に当業者が本発明の実施例をより良く理解することを支援するためのものであり、本発明の実施例の範囲を限定することを意図するものでないことに留意すべきである。
【０１２３】
図９は、本発明の実施例によるＵＥが呼を発信するケースにおけるフローチャートである。
【０１２４】
９０１：ＵＥが、拡張サービスリクエストをＭＭＥに送信する。ＣＳ呼を発信することを決定すると、ＵＥは、ＣＳＦＢをリクエストするため、拡張サービスリクエストをＭＭＥに送信する。
【０１２５】
９０２：ＭＭＥは、Ｓ１−ＡＰメッセージをｅＮｏｄｅＢに送信する。Ｓ１−ＡＰメッセージは、ＣＳＦＢによってトリガされるＰＳドメインからＣＳドメインへのＵＥのスイッチを実行するようｅＮｏｄｅＢに命令するためのＣＳＦＢ指示を有する。
【０１２６】
９０３：メジャメントプロセスを実行する。任意的には、ｅＮｏｄｅＢは、ターゲットネットワークの無線信号品質を測定するようＵＥに命令し、信号品質がスイッチ条件を充足するとき、スイッチを実行することを決定する。
【０１２７】
９０４：ｅＮｏｄｅＢは、ＰＳからＣＳにスイッチするためのリクエストをＭＭＥに送信する。スイッチリクエストは、当該スイッチリクエストがＣＳＦＢによってトリガされること、すなわち、ＣＳＦＢについてスイッチプロセスが実行されることを指示するのに利用されるＣＳＦＢ指示情報を有する。
【０１２８】
９０５：ＭＭＥは、ＰＳからＣＳにスイッチするためのリクエストをＭＳＣに送信する。当該スイッチリクエストもまた、当該スイッチリクエストがＣＳＦＢによってトリガされること、すなわち、ＣＳＦＢについてスイッチプロセスが実行されることを指示するのに利用されるＣＳＦＢ指示情報を有する。
【０１２９】
９０６：ＭＳＣは、ＣＳドメインへのスイッチのための準備を行い、リソースを確保する。任意的には、ＭＳＣは、ＭＳＣ間スイッチをトリガする必要があってもよい。スイッチ準備プロセスでは、ＭＳＣは、ＴＩ＝０である呼を自動的に生成する。
【０１３０】
９０７：ＭＳＣは、スイッチリクエストレスポンスをＭＭＥに送信する。
【０１３１】
９０８：任意的には、ＭＭＥは、ＰＳからＰＳへのスイッチをトリガするため、スイッチリクエストをＳＧＳＮに送信する。ステップ９０８及びステップ９０４は同時に実行されてもよい。
【０１３２】
９０９：ＭＭＥはスイッチコマンドをｅＮｏｄｅＢに送信し、ｅＮｏｄｅＢはスイッチコマンドをＵＥに送信する。任意的には、ＰＳからＰＳへのスイッチがまたトリガされる場合、ＭＭＥは、ＰＳからＣＳにスイッチするためのレスポンスと、ＰＳからＰＳにスイッチするためのレスポンスとを調整し、ＭＭＥは、これら２つのメッセージを合成し、ＰＳトランスペアレントコンテナ及びＣＳトランスペアレントコンテナを合成し、ここで、ＭＭＥによってｅＮｏｄｅＢに送信されるスイッチコマンドは、合成されたトランスペアレントコンテナを有する。任意的には、ｅＮｏｄｅＢは、ＵＥに送信されるスイッチコマンドにＣＳＦＢ指示を加える。ＵＥのアクセスが失敗すると、ＵＥがＣＳＦＢ指示を受信している場合、ＵＥは利用可能な２Ｇ又は３Ｇネットワークを選択する。
【０１３３】
９１０：ＵＥは、ＧＥＲＡＮ／ＵＴＲＡＮネットワークにアクセスする。ＵＥは、スイッチコマンドに従ってＣＳドメインにアクセスし、デフォルト呼、すなわち、ＴＩ＝０である呼を自動的に生成する。
【０１３４】
９１１：ＵＥは、スイッチ完了メッセージをＢＳＳ／ＲＮＳに送信し、ＢＳＳ／ＲＮＳは、スイッチ完了メッセージをＭＳＣに送信する。
【０１３５】
９１２：ＵＥ及びＭＳＣは、ＴＩ＝０である自動生成された呼を解放又は保持する。それは、ＵＥが呼解放メッセージ又は呼保持メッセージをＭＳＣに送信するか、又はＭＳＣが呼解放メッセージ又は呼保持メッセージをＵＥに送信することであってもよい。
【０１３６】
９１３：ＵＥは、接続管理サービスリクエストプロセスをトリガする。
【０１３７】
９１４：ＭＳＣは、認証プロセスをトリガする。
【０１３８】
９１５：ＵＥは、ＣＳ呼設定メッセージをＭＳＣに送信し、ここで、ＣＳ呼設定メッセージは発呼される番号を有する。
【０１３９】
９１６：ＭＳＣは、ＣＳ呼設定メッセージを受信し、出力呼を送信する。
【０１４０】
図１０は、本発明の実施例によるＵＥが呼を発信するケースにおけるプロトコルスタックの概略図である。図１０に示されるように、発呼中、
１００１：呼制御レイヤ（Ｃａｌｌ  Ｃｏｎｔｒｏｌ，ＣＣ）は、モビリティ管理レイヤ（Ｍｏｂｉｌｉｔｙ  Ｍａｎａｇｅｍｅｎｔ，ＭＭ）にＭＭ接続を設定することをリクエストする。
【０１４１】
１００２：ＭＭレイヤは、ＣＳＦＢプロセスを実行するようＥ−ＵＴＲＡＮモビリティマネージメントレイヤ（Ｅ−ＵＴＲＡＮ  Ｍｏｂｉｌｉｔｙ  Ｍａｎａｇｅｍｅｎｔ，ＥＭＭ）に命令する。
【０１４２】
１００３：ＥＭＭレイヤは、２Ｇ又は３Ｇネットワークにフォールバックするようネットワークをトリガするため、拡張サービスリクエストをネットワークに送信する。
【０１４３】
１００４：ＵＥは、２Ｇ又は３Ｇネットワークにアクセスするため、２／３Ｇ  ＣＳドメインの無線リソースを有するスイッチコマンドを受信する。任意的には、ＵＥがＣＳＦＢ指示を受信する場合、ＵＥのアクセスが失敗すると、ＵＥは、利用可能な２Ｇ又は３Ｇネットワークを選択する。具体的には、Ｅ−ＵＴＲＡＮアクセスストレイタム（Ｅ−ＵＴＲＡＮ  Ａｃｃｅｓｓ  Ｓｔｒａｔｕｍ）は、スイッチコマンドにおける２Ｇ又は３Ｇ  ＣＳドメインの無線リソースに関する情報をＧＥＲＡＮ／ＵＴＲＡＮアクセスストレイタムに転送する。
【０１４４】
１００５：ＧＥＲＡＮ／ＵＴＲＡＮアクセスストレイタムは、２Ｇ又は３ＧネットワークにアクセスするようＭＭレイヤにおけるＵＥに命令する。
【０１４５】
１００６：ＵＥはＳＲＶＣＣをサポートするため、アクセスストレイタムは、スイッチがＳＲＶＣＣスイッチであることを通知し、ＴＩ＝０であるＭＭ接続を自律的に設定する。
【０１４６】
１００７：ＴＩ＝０である呼が存在するため、マルチ呼処理、すなわち、呼保持、呼待機又は呼解放を実行する。ＭＭレイヤは、接続管理サービスリクエストプロセスをトリガし、ＭＭ接続を設定するようＣＣレイヤに命令し、ＣＣレイヤは、ＣＳ呼設定メッセージを送信し、ＣＳ呼プロセスを継続する。
【０１４７】
１００８：ＧＥＲＡＮ／ＵＴＲＡＮアクセスストレイタムは、ＭＭレイヤを利用することによって、関連するベアラ設定状態をベアラ制御レイヤに通知する。
【０１４８】
図１１は、本発明の実施例によるＵＥが発呼されるケースにおけるフローチャートである。
【０１４９】
１１０１：入力呼を受信した後、ＭＳＣは、ＣＳページングリクエストをＭＭＥに送信し、ＭＭＥは、ＣＳページングメッセージをＵＥに送信し、ここで、ＣＳページングメッセージは回線交換ドメインＣＳドメインを指示する。
【０１５０】
１１０２：ＵＥは、拡張サービスリクエストをＭＭＥに送信する。ＣＳページングメッセージを受信した後、ＵＥは、ＣＳＦＢをリクエストするため、拡張サービスリクエストをＭＭＥに送信する。
【０１５１】
１１０３：ＭＭＥは、Ｓ１−ＡＰメッセージをｅＮｏｄｅＢに送信する。Ｓ１−ＡＰメッセージは、ＣＳＦＢによってトリガされるＰＳドメインからＣＳドメインへのＵＥのスイッチを実行するようｅＮｏｄｅＢに命令するためのＣＳＦＢ指示を有する。
【０１５２】
１１０４：メジャメントプロセスを実行する。任意的には、ｅＮｏｄｅＢは、ターゲットネットワークの無線信号品質を測定するようＵＥに命令し、信号品質がスイッチ条件を充足すると、スイッチを実行することを決定する。
【０１５３】
１１０５：ｅＮｏｄｅＢは、ＰＳからＣＳにスイッチするためのリクエストをＭＭＥに送信する。スイッチリクエストは、当該スイッチリクエストがＣＳＦＢによってトリガされることを指示するのに利用されるＣＳＦＢ指示情報を有する。
【０１５４】
１１０６：ＭＭＥは、ＰＳからＣＳにスイッチするためのリクエストをＭＳＣに送信する。当該スイッチリクエストもまた、当該スイッチリクエストがＣＳＦＢによってトリガされることを指示するのに利用されるＣＳＦＢ指示情報を有する。
【０１５５】
１１０７：ＭＳＣは、ＣＳドメインにスイッチするための準備を行い、リソースを確保する。任意的には、ＭＳＣは、ＭＳＣ間スイッチをトリガする必要があってもよい。スイッチ準備プロセスでは、ＭＳＣは、ＴＩ＝０である呼を自動的に生成する。
【０１５６】
１１０８：ＭＳＣは、スイッチリクエストレスポンスをＭＭＥに送信する。
【０１５７】
１１０９：任意的には、ＭＭＥは、ＰＳからＰＳへのスイッチをトリガするためのスイッチリクエストをＳＧＳＮに送信する。ステップ１１０９及びステップ１１０５は同時に実行されてもよい。
【０１５８】
１１１０：ＭＭＥはスイッチコマンドをｅＮｏｄｅＢに送信し、ｅＮｏｄｅＢはスイッチコマンドをＵＥに送信する。任意的には、ＰＳからＰＳへのスイッチがまたトリガされる場合、ＭＭＥは、ＰＳからＣＳにスイッチするためのレスポンスと、ＰＳからＰＳにスイッチするためのレスポンスとを調整し、ＭＭＥは、これら２つのメッセージを合成し、ＰＳトランスペアレントコンテナとＣＳトランスペアレントコンテナとを合成し、ここで、ＭＭＥによってｅＮｏｄｅＢに送信されるスイッチコマンドは、合成されたトランスペアレントコンテナを有する。任意的には、ｅＮｏｄｅＢは、ＵＥに送信されるスイッチコマンドにＣＳＦＢ指示を加える。ＵＥのアクセスが失敗すると、ＵＥがＣＳＦＢ指示を受信する場合、ＵＥは利用可能な２Ｇ／３Ｇネットワークを選択する。
【０１５９】
１１１１：ＵＥは、ＧＥＲＡＮ／ＵＴＲＡＮネットワークにアクセスする。ＵＥは、スイッチコマンドに従ってＣＳドメインにアクセスし、デフォルト呼、すなわち、ＴＩ＝０である呼を自動的に生成する。
【０１６０】
１１１２：ＵＥは、スイッチ完了メッセージをＢＳＳ／ＲＮＳに送信し、ＢＳＳ／ＲＮＳは、スイッチ完了メッセージをＭＳＣに送信する。
【０１６１】
１１１３：ＵＥは、ページングレスポンスを送信する。
【０１６２】
１１１４：ＭＳＣは、認証プロセスをトリガする。
【０１６３】
１１１５：ＵＥ及びＭＳＣは、ＴＩ＝０である自動生成された呼を解放又は保持する。それは、ＵＥが呼解放メッセージ又は呼保持メッセージをＭＳＣに送信するか、又はＭＳＣが呼解放メッセージ又は呼保持メッセージをＵＥに送信することであってもよい。ＵＥ及びＭＳＣは、ＴＩ＝０である呼を利用しない。
【０１６４】
１１１６：ＭＳＣは、ＣＳ呼設定メッセージをＵＥに送信し、ここで、ＣＳ呼設定メッセージは、現在の呼を完了させるため、発呼する番号を有する。
【０１６５】
図１２は、本発明の実施例によるＵＥが発呼されるケースにおけるプロトコルスタックの概略図である。図１２に示されるように、発呼中、
１２０１：ＵＥは、ＣＳドメイン指示を有するページングリクエストを受信する。
【０１６６】
１２０２：ＥＭＭレイヤは、ページングリクエストをＭＭレイヤに送信する。
【０１６７】
１２０３：ＭＭレイヤは、ＣＳＦＢプロセスを実行するようＥＭＭレイヤに命令する。
【０１６８】
１２０４：ＥＭＭレイヤは、２／３Ｇ（２Ｇ又は３Ｇ）ネットワークにフォールバックするようネットワークをトリガするため、拡張サービスリクエストをネットワークに送信する。
【０１６９】
１２０５：ＵＥは、２／３Ｇネットワークにアクセスするため、２／３Ｇ  ＣＳドメインの無線リソースを有するスイッチコマンドを受信する。任意的には、ＵＥがＣＳＦＢ指示を受信する場合、ＵＥのアクセスが失敗すると、ＵＥは利用可能な２／３Ｇネットワークを選択する。具体的には、Ｅ−ＵＴＲＡＮアクセスストレイタム（Ｅ−ＵＴＲＡＮ  Ａｃｃｅｓｓ  Ｓｔｒａｔｕｍ  Ｓｕｂｌａｙｅｒ）は、スイッチコマンドにおける２／３Ｇ  ＣＳドメインの無線リソースに関する情報をＧＥＲＡＮ／ＵＴＲＡＮアクセスストレイタムに転送する。
【０１７０】
１２０６：ＧＥＲＡＮ／ＵＴＲＡＮアクセスストレイタムは、２／３ＧネットワークにアクセスするようＭＭレイヤにおけるＵＥに命令する。
【０１７１】
１２０７：ＵＥはＳＲＶＣＣをサポートするため、アクセスストレイタムは、スイッチがＳＲＶＣＣスイッチであることを通知し、ＴＩ＝０であるＭＭ接続を自律的に設定する。それから、ＭＭレイヤは、ページングレスポンスを送信し、２／３Ｇ  ＣＳ呼プロセスを継続する。
【０１７２】
本発明の本実施例では、回線交換フォールバックは、ＰＳドメインからＣＳドメインへのＵＥによるスイッチの方式で実現される。ＵＥは、回線交換ドメインにフォールバックした後、スイッチプロセスにおいて生成されたデフォルトＣＳ呼を解放又は保持し、誤った接続が回避され、呼が設定されるように、ＣＳドメイン呼を受信する。
【０１７３】
上記のプロセスのシーケンス番号は本発明の各種実施例における実行順を示していないことが理解されるべきである。プロセスの実行順は、プロセスの機能及び内部ロジックに従って決定されるべきであり、本発明の実施例の実現プロセスに対する何れかの限定として解釈されるべきでない。
【０１７４】
本発明の実施例による回線交換フォールバック方法は、図１から図１２を参照して上記において詳細に説明され、本発明の実施例によるＵＥ、ＭＳＣ及びＭＭＥは、図１３から図１８を参照して以下において説明される。
【０１７５】
図１３は、本発明の実施例によるＵＥ１３００の概略的なブロック図である。図１３に示されるように、ＵＥ１３００は、
回線交換フォールバックＣＳＦＢを実行するようリクエストするためのリクエストメッセージをモビリティ・マネージメント・エンティティＭＭＥに送信するよう構成される送信モジュール１３１０と、
進化型基地局ｅＮｏｄｅＢによって送信されたスイッチコマンドを受信するよう構成される受信モジュール１３２０であって、スイッチコマンドはパケット交換ＰＳドメインから回線交換ＣＳドメインにスイッチするようＵＥに命令する、受信モジュール１３２０と、
ＵＥがスイッチコマンドに従ってＣＳドメインにスイッチした後にＵＥのデフォルトＣＳ呼を解放又は保持するよう構成される処理モジュール１３３０であって、デフォルトＣＳ呼はスイッチコマンドに従ってＵＥによって生成される、処理モジュール１３３０と、
モバイル・スイッチング・センタＭＳＣを利用することによって、ＣＳ呼を発信するか、又はＣＳ呼を受信するよう構成される呼モジュール１３４０と、
を有する。
【０１７６】
本発明の本実施例におけるＵＥは、ＣＳドメインにアクセスした後、スイッチ中に生成されたデフォルトＣＳ呼を解放又は保持し、それからＣＳ呼を発信し、又はＣＳ呼を受信し、ＰＳドメインからＣＳドメインへのＵＥによるスイッチの方式で回線交換フォールバックを実現し、遅延を低減可能であり、これにより、ユーザ体感を向上させることができる。
【０１７７】
本発明の本実施例では、任意的には、送信モジュール１３１０は更に、呼解放メッセージ又は呼保持メッセージをＭＳＣに送信するよう構成され、ここで、呼解放メッセージ又は呼保持メッセージは、スイッチ準備プロセスにおいてＭＳＣによって生成されるデフォルトＣＳ呼を解放又は保持するようＭＳＣに命令する。
【０１７８】
本発明の本実施例では、任意的には、受信モジュール１３２０は更に、呼解放メッセージ又は呼保持メッセージを受信するよう構成され、ここで、呼解放メッセージ又は呼保持メッセージはＭＳＣによって送信され、呼解放メッセージ又は呼保持メッセージは、デフォルトＣＳ呼を解放又は保持するようＵＥに命令し、
処理モジュール１３３０は、具体的には、呼解放メッセージ又は呼保持メッセージに従ってデフォルトＣＳ呼を解放又は保持するよう構成される。
【０１７９】
本発明の本実施例では、任意的には、送信モジュール１３１０は更に、回線交換フォールバックＣＳＦＢを実行するようリクエストするためのリクエストメッセージをモビリティ・マネージメント・エンティティＭＭＥに送信する前に、サポートされる音声符号化／復号化能力及びサポートされるシングル・ラジオ・ボイス・コール・コンティニュイティＳＲＶＣＣ能力をＭＭＥに送信するよう構成される。
【０１８０】
本発明の本実施例におけるＵＥ１３００は、本発明の実施例による回線交換フォールバック方法におけるＵＥに対応してもよい。さらに、ＵＥ１３００におけるモジュールの上記及び他の処理及び／又は機能は、図１から図１２に示される方法の対応する手順を実現するよう構成され、簡単化のため、ここでは再度は説明されない。
【０１８１】
図１４は、本発明の実施例によるＭＳＣ１４００の概略的なブロック図である。図１４に示されるように、ＭＳＣ１４００は、
モビリティ・マネージメント・エンティティＭＭＥによって送信され、ユーザ装置ＵＥをパケット交換ＰＳドメインから回線交換ＣＳドメインにスイッチするようリクエストするのに利用されるスイッチリクエストを受信するよう構成される受信モジュール１４１０であって、スイッチリクエストは回線交換フォールバックＣＳＦＢ指示情報を有し、ＣＳＦＢ指示情報は、ＭＭＥがＵＥによって送信され、ＣＳＦＢを実行するようリクエストするのに利用されるリクエストメッセージを受信するとき、スイッチリクエストがＭＭＥによって送信されることを指示する、受信モジュール１４１０と、
スイッチリクエストに従ってスイッチレスポンスメッセージをＭＭＥに送信するよう構成される送信モジュール１４２０と、
受信モジュール１４１０は更に、ＵＥによって送信されたスイッチ完了メッセージを受信するよう構成され、スイッチ完了メッセージは、ＵＥがＰＳドメインからＣＳドメインへのスイッチをすでに完了したことを通知し、
ＣＳＦＢ指示情報に従ってデフォルトＣＳ呼を解放又は保持するよう構成される処理モジュール１４３０であって、デフォルトＣＳ呼は、ＭＳＣがスイッチリクエストメッセージを受信した後にＭＳＣによって生成される、処理モジュール１４３０と、
ＵＥがＣＳ呼を発信するか、又はＣＳ呼を受信するように、ＵＥとやりとりするよう構成される呼モジュール１４４０と、
を有する。
【０１８２】
本発明の本実施例におけるＭＳＣは、ＵＥがＣＳドメインにアクセスした後に、スイッチ中に生成されるデフォルトＣＳ呼を解放又は保持し、それからＵＥのための新たなＣＳ呼を設定し、ＰＳドメインからＣＳドメインへのＵＥによるスイッチの方式で回線交換フォールバックを実現し、遅延を低減可能であり、これにより、ユーザ体感を向上させることができる。
【０１８３】
本発明の本実施例では、任意的には、受信モジュール１４１０は更に、呼解放メッセージ又は呼保持メッセージを受信するよう構成され、ここで、呼解放メッセージ又は呼保持メッセージはＵＥによって送信され、呼解放メッセージ又は呼保持メッセージは、デフォルトＣＳ呼を解放又は保持するようＭＳＣに命令し、
処理モジュール１４３０は、具体的には、ＣＳＦＢ指示情報と、呼解放メッセージ又は呼保持メッセージとに従ってデフォルトＣＳ呼を解放又は保持するよう構成される。
【０１８４】
本発明の本実施例では、任意的には、送信モジュール１４２０は更に、呼解放メッセージ又は呼保持メッセージをＵＥに送信するよう構成され、ここで、呼解放メッセージ又は呼保持メッセージは、ＵＥによって生成されたデフォルトＣＳ呼を解放又は保持するようＵＥに命令する。
【０１８５】
本発明の本実施例では、任意的には、ＣＳＦＢ指示情報は、予め設定されたＳＴＮ−ＳＲである。
【０１８６】
本発明の本実施例におけるＭＳＣ１４００は、本発明の実施例による回線交換フォールバック方法におけるＭＳＣに対応してもよい。さらに、ＭＳＣ１４００におけるモジュールの上記及び他の処理及び／又は機能は、図１から図１２に示される方法の対応する手順を実現するよう構成され、簡単化のため、ここでは再度は説明されない。
【０１８７】
図１５は、本発明の実施例によるＭＭＥ１５００の概略的なブロック図である。図１５に示されるように、ＭＭＥ１５００は、
ユーザ装置ＵＥによって送信され、回線交換フォールバックＣＳＦＢを実行するようリクエストするのに利用されるリクエストメッセージを受信するよう構成される受信モジュール１５１０と、
ＵＥをパケット交換ＰＳドメインから回線交換ＣＳドメインにスイッチすることを決定するよう構成される決定モジュール１５２０と、
Ｓ１インタフェースメッセージを進化型基地局ｅＮｏｄｅＢに送信するよう構成される送信モジュール１５３０であって、Ｓ１インタフェースメッセージは、ＵＥをＰＳドメインからＣＳドメインにスイッチするようｅＮｏｄｅＢに命令する、送信モジュール１５３０と、
を有し、
受信モジュール１５１０は更に、ｅＮｏｄｅＢによって送信され、ＵＥをＰＳドメインからＣＳドメインにスイッチするのに利用される第１のスイッチリクエストを受信するよう構成され、
送信モジュール１５３０は更に、ＵＥをＰＳドメインからＣＳドメインにスイッチするための第２のスイッチリクエストをＭＳＣに送信するよう構成され、第２のスイッチリクエストは第２のＣＳＦＢ指示情報を有し、第２のＣＳＦＢ指示情報は、第２のスイッチリクエストがＣＳＦＢを実行するため送信されることを指示し、
受信モジュール１５１０は更に、ＭＳＣによって送信されたスイッチレスポンスメッセージを受信するよう構成され、
送信モジュール１５３０は更に、ｅＮｏｄｅＢに第１のスイッチコマンドを送信するよう構成され、ｅＮｏｄｅＢが第１のスイッチコマンドを受信した後に、ｅＮｏｄｅＢは第２のスイッチコマンドをＵＥに送信し、第２のスイッチコマンドは、ＰＳドメインからＣＳドメインにスイッチするようＵＥに命令し、ＵＥが第２のスイッチコマンドに従ってＣＳドメインにスイッチした後に、ＵＥは、第２のスイッチコマンドに従ってＵＥによって生成されたデフォルトＣＳ呼を解放又は保持する。
【０１８８】
本発明の本実施例におけるＭＭＥは、ＣＳＦＢによってＰＳからＣＳへのスイッチをトリガし、ＰＳドメインからＣＳドメインへのＵＥによるスイッチの方式で回線交換フォールバックを実現し、遅延を低減可能であり、これにより、ユーザ体感を向上させることができる。
【０１８９】
本発明の本実施例では、任意的には、第２のＣＳＦＢ指示情報は、予め設定されたＳＴＮ−ＳＲである。
【０１９０】
本発明の本実施例では、任意的には、第１のスイッチリクエストは第１のＣＳＦＢ指示情報を有し、第１のＣＳＦＢ指示情報は、第１のスイッチリクエストメッセージがＣＳＦＢを実行するため送信される。
【０１９１】
任意的には、第１のＣＳＦＢ指示情報は、ＳＲＶＣＣスイッチ指示情報である。
【０１９２】
本発明の本実施例では、任意的には、受信モジュール１５１０は更に、ユーザ装置ＵＥによって送信され、回線交換フォールバックＣＳＦＢを実行するようリクエストするのに利用されるリクエストメッセージを受信する前に、ＵＥによって送信され、ＵＥによってサポートされる音声符号化／復号化能力及びＳＲＶＣＣ能力を受信するよう構成される。
【０１９３】
本発明の本実施例におけるＭＭＥ１５００は、本発明の実施例による回線交換フォールバック方法におけるＭＭＥに対応してもよい。さらに、ＭＭＥ１５００におけるモジュールの上記及び他の処理及び／又は機能は、図１から図１２に示される方法の対応する手順を実現するよう構成され、簡単化のためここでは再度は説明されない。
【０１９４】
図１６は、本発明の他の実施例によるＵＥの構成を示す。ＵＥは、少なくとも１つのプロセッサ１６０２（例えば、ＣＰＵ）、少なくとも１つのネットワークインタフェース１６０５又は他の通信インタフェース、メモリ１６０６及びこれらの装置の間の接続通信を実現するよう構成される少なくとも１つの通信バス１６０３を有する。プロセッサ１６０２は、例えば、メモリ１６０６に記憶されるコンピュータプログラムなどの実行可能モジュールを実行するよう構成される。メモリ１６０６は、高速ランダム・アクセス・メモリ（ＲＡＭ：Ｒａｎｄｏｍ  Ａｃｃｅｓｓ  Ｍｅｍｏｒｙ）を有してもよく、又は、例えば、少なくとも１つの磁気ディスクメモリなどの不揮発性メモリ（ｎｏｎ−ｖｏｌａｔｉｌｅ  ｍｅｍｏｒｙ）を有してもよい。少なくとも１つのネットワークインタフェース１６０５（有線又は無線であってもよい）は、システムゲートウェイと少なくとも１つの他のネットワーク要素との間の通信接続を実現するのに利用されてもよく、インターネット、ワイド・エリア・ネットワーク、ローカルネットワーク、メトロポリタン・エリア・ネットワークなどが利用されてもよい。
【０１９５】
いくつかの実現方式では、メモリ１６０６はプログラム１６０６１を記憶し、ここで、プログラム１６０６１は、プロセッサ１６０２によって実行されてもよく、プログラムは、
ユーザ装置ＵＥが、回線交換フォールバックＣＳＦＢを実行するようリクエストするためのリクエストメッセージをモビリティ・マネージメント・エンティティＭＭＥに送信するステップと、ＵＥが、進化型基地局ｅＮｏｄｅＢによって送信されたスイッチコマンドを受信するステップであって、スイッチコマンドはパケット交換ＰＳドメインから回線交換ＣＳドメインにスイッチするようＵＥに命令する、受信するステップと、ＵＥがスイッチコマンドに従ってＣＳドメインにスイッチした後にＵＥのデフォルトＣＳ呼を解放又は保持するステップであって、デフォルトＣＳ呼はスイッチコマンドに従ってＵＥによって生成される、解放又は保持するステップと、ＵＥが、モバイル・スイッチング・センタＭＳＣを利用することによって、ＣＳ呼を発信するか、又はＣＳ呼を受信するステップとを有する。
【０１９６】
任意的には、当該プログラムは更に、ＵＥが、呼解放メッセージ又は呼保持メッセージをＭＳＣに送信するステップを有し、ここで、呼解放メッセージ又は呼保持メッセージは、スイッチ準備プロセスにおいてＭＳＣによって生成されるデフォルトＣＳ呼を解放又は保持するようＭＳＣに命令する。
【０１９７】
任意的には、当該プログラム更に、ＵＥのデフォルトＣＳ呼を解放又は保持するステップの前に、ＵＥが、呼解放メッセージ又は呼保持メッセージを受信するステップを有し、呼解放メッセージ又は呼保持メッセージはＭＳＣによって送信され、呼解放メッセージ又は呼保持メッセージは、デフォルトＣＳ呼を解放又は保持するようＵＥに命令し、ＵＥのデフォルトＣＳ呼を解放又は保持するステップは、ＵＥが、呼解放メッセージ又は呼保持メッセージに従ってデフォルトＣＳ呼を解放又は保持するステップを有する。
【０１９８】
任意的には、当該プログラムは更に、ユーザ装置ＵＥが、回線交換フォールバックＣＳＦＢを実行するようリクエストするためのリクエストメッセージをモビリティ・マネージメント・エンティティＭＭＥに送信するステップの前に、ＵＥが、ＵＥによってサポートされる音声符号化／復号化能力及びシングル・ラジオ・ボイス・コール・コンティニュイティＳＲＶＣＣ能力をＭＭＥに送信するステップを有する。
【０１９９】
本発明の本実施例において提供される上記の技術的解決策から理解できるように、本発明の本実施例では、ＵＥがＣＳＦＢをリクエストするとき、ＵＥは、ＰＳドメインからＣＳドメインにスイッチするようトリガされ、スイッチ中に生成されるデフォルトＣＳ呼は、ＵＥがＣＳドメインにアクセスした後に解放又は保持され、それから、ＣＳ呼が発信されるか、又はＣＳ呼が受信され、ＰＳドメインからＣＳドメインへのＵＥによるスイッチの方式で回線交換フォールバックを実現し、遅延を低減可能であり、これにより、ユーザ体感を向上させることができる。
【０２００】
図１７は、本発明の他の実施例によるＭＳＣの構成を示す。ＭＳＣは、少なくとも１つのプロセッサ１７０２（例えば、ＣＰＵ）、少なくとも１つのネットワークインタフェース１７０５又は他の通信インタフェース、メモリ１７０６及びこれらの装置の間の接続通信を実現するよう構成される少なくとも１つの通信バス１７０３を有する。プロセッサ１７０２は、例えば、メモリ１７０６に記憶されるコンピュータプログラムなどの実行可能モジュールを実行するよう構成される。メモリ１７０６は、高速ランダム・アクセス・メモリ（ＲＡＭ：Ｒａｎｄｏｍ  Ａｃｃｅｓｓ  Ｍｅｍｏｒｙ）を有してもよく、又は、例えば、少なくとも１つの磁気ディスクメモリなどの不揮発性メモリ（ｎｏｎ−ｖｏｌａｔｉｌｅ  ｍｅｍｏｒｙ）を有してもよい。少なくとも１つのネットワークインタフェース１７０５（有線又は無線であってもよい）は、システムゲートウェイと少なくとも１つの他のネットワーク要素との間の通信接続を実現するのに利用されてもよく、インターネット、ワイド・エリア・ネットワーク、ローカルネットワーク、メトロポリタン・エリア・ネットワークなどが利用されてもよい。
【０２０１】
いくつかの実現方式では、メモリ１７０６はプログラム１７０６１を記憶し、ここで、プログラム１７０６１は、プロセッサ１７０２によって実行されてもよく、プログラムは、
モバイル・スイッチング・センタＭＳＣが、モビリティ・マネージメント・エンティティＭＭＥによって送信され、ユーザ装置ＵＥをパケット交換ＰＳドメインから回線交換ＣＳドメインにスイッチするようリクエストするのに利用されるスイッチリクエストを受信するステップであって、スイッチリクエストは回線交換フォールバックＣＳＦＢ指示情報を有し、ＣＳＦＢ指示情報は、ＭＭＥがＵＥによって送信され、ＣＳＦＢを実行するようリクエストするのに利用されるリクエストメッセージを受信するとき、スイッチリクエストがＭＭＥによって送信されることを指示する、受信するステップと、ＭＳＣが、スイッチリクエストに従ってスイッチレスポンスメッセージをＭＭＥに送信するステップと、ＭＳＣが、ＵＥによって送信されたスイッチ完了メッセージを受信するステップであって、スイッチ完了メッセージは、ＵＥがＰＳドメインからＣＳドメインへのスイッチをすでに完了したことを通知する、受信するステップと、ＭＳＣが、ＣＳＦＢ指示情報に従ってデフォルトＣＳ呼を解放又は保持するステップであって、デフォルトＣＳ呼は、ＭＳＣがスイッチリクエストメッセージを受信した後にＭＳＣによって生成される、解放又は保持するステップと、ＭＳＣが、ＵＥがＣＳ呼を発信するか、又はＣＳ呼を受信するように、ＵＥとやりとりするステップとを有する。
【０２０２】
任意的には、当該プログラムは更に、デフォルトＣＳ呼を解放又は保持するステップの前に、ＭＳＣが、呼解放メッセージ又は呼保持メッセージを受信するステップを有し、呼解放メッセージ又は呼保持メッセージはＵＥによって送信され、呼解放メッセージ又は呼保持メッセージは、デフォルトＣＳ呼を解放又は保持するようＭＳＣに命令し、デフォルトＣＳ呼を解放又は保持するステップは、ＭＳＣが、ＣＳＦＢ指示情報と、呼解放メッセージ又は呼保持メッセージとに従ってデフォルトＣＳ呼を解放又は保持するステップを有する。
【０２０３】
任意的には、当該プログラムは更に、ＭＳＣが、呼解放メッセージ又は呼保持メッセージをＵＥに送信するステップを有し、ここで、呼解放メッセージ又は呼保持メッセージは、ＵＥによって生成されたデフォルトＣＳ呼を解放又は保持するようＵＥに命令する。
【０２０４】
任意的には、エンハンストＣＳＦＢ指示情報は、予め設定されたＳＴＮ−ＳＲである。
【０２０５】
本発明の本実施例において提供される上記の技術的解決策から理解できるように、本発明の本実施例では、スイッチ中に生成されるデフォルトＣＳ呼は、ＵＥがＣＳドメインにアクセスした後に解放又は保持され、それから、新たなＣＳ呼が設定され、ＰＳドメインからＣＳドメインへのＵＥによるスイッチの方式で回線交換フォールバックを実現し、遅延を低減可能であり、これにより、ユーザ体感を向上させることができる。
【０２０６】
図１８は、本発明の他の実施例によるＭＭＥの構成を示す。ＭＭＥは、少なくとも１つのプロセッサ１８０２（例えば、ＣＰＵ）、少なくとも１つのネットワークインタフェース１８０５又は他の通信インタフェース、メモリ１８０６及びこれらの装置の間の接続通信を実現するよう構成される少なくとも１つの通信バス１８０３を有する。プロセッサ１８０２は、例えば、メモリ１８０６に記憶されるコンピュータプログラムなどの実行可能モジュールを実行するよう構成される。メモリ１８０６は、高速ランダム・アクセス・メモリ（ＲＡＭ：Ｒａｎｄｏｍ  Ａｃｃｅｓｓ  Ｍｅｍｏｒｙ）を有してもよく、又は、例えば、少なくとも１つの磁気ディスクメモリなどの不揮発性メモリ（ｎｏｎ−ｖｏｌａｔｉｌｅ  ｍｅｍｏｒｙ）を有してもよい。少なくとも１つのネットワークインタフェース１８０５（有線又は無線であってもよい）は、システムゲートウェイと少なくとも１つの他のネットワーク要素との間の通信接続を実現するのに利用されてもよく、インターネット、ワイド・エリア・ネットワーク、ローカルネットワーク、メトロポリタン・エリア・ネットワークなどが利用されてもよい。
【０２０７】
いくつかの実現方式では、メモリ１８０６はプログラム１８０６１を記憶し、ここで、プログラム１８０６１は、プロセッサ１８０２によって実行されてもよく、プログラムは、
モビリティ・マネージメント・エンティティＭＭＥが、ユーザ装置ＵＥによって送信され、回線交換フォールバックＣＳＦＢを実行するようリクエストするのに利用されるリクエストメッセージを受信するステップと、ＭＭＥが、Ｓ１インタフェースメッセージを進化型基地局ｅＮｏｄｅＢに送信するステップであって、Ｓ１インタフェースメッセージは、ＵＥをパケット交換ＰＳドメインから回線交換ＣＳドメインにスイッチするようｅＮｏｄｅＢに命令する、送信するステップと、ＭＭＥが、ｅＮｏｄｅＢによって送信され、ＵＥをＰＳドメインからＣＳドメインにスイッチするのに利用される第１のスイッチリクエストを受信するステップと、ＭＭＥが、ＵＥをＰＳドメインからＣＳドメインにスイッチするための第２のスイッチリクエストをモバイル・スイッチング・センタＭＳＣに送信するステップであって、第２のスイッチリクエストは第２のＣＳＦＢ指示情報を有し、第２のＣＳＦＢ指示情報は、第２のスイッチリクエストがＣＳＦＢを実行するため送信されることを指示する、送信するステップと、ＭＭＥが、ＭＳＣによって送信されたスイッチレスポンスメッセージを受信するステップと、ＭＭＥが、ｅＮｏｄｅＢに第１のスイッチコマンドを送信するステップであって、ｅＮｏｄｅＢが第１のスイッチコマンドを受信した後に、ｅＮｏｄｅＢは第２のスイッチコマンドをＵＥに送信し、第２のスイッチコマンドは、ＰＳドメインからＣＳドメインにスイッチするようＵＥに命令し、ＵＥが第２のスイッチコマンドに従ってＣＳドメインにスイッチした後に、ＵＥは、第２のスイッチコマンドに従ってＵＥによって生成されたデフォルトＣＳ呼を解放又は保持する、送信するステップとを有する。
【０２０８】
任意的には、第２のＣＳＦＢ指示情報は、予め設定されたＳＴＮ−ＳＲである。
【０２０９】
任意的には、第１のスイッチリクエストは第１のＣＳＦＢ指示情報を有し、第１のＣＳＦＢ指示情報は、第１のスイッチリクエストメッセージがＣＳＦＢを実行するため送信されることを指示する。
【０２１０】
任意的には、第１のＣＳＦＢ指示情報は、ＳＲＶＣＣスイッチ指示情報である。
【０２１１】
任意的には、当該プログラムは更に、モビリティ・マネージメント・エンティティＭＭＥが、ユーザ装置ＵＥによって送信され、回線交換フォールバックＣＳＦＢを実行するようリクエストするのに利用されるリクエストメッセージを受信するステップの前に、ＭＭＥが、ＵＥによって送信され、ＵＥによってサポートされる音声符号化／復号化能力及びＳＲＶＣＣ能力を受信するステップを有する。
【０２１２】
本発明の本実施例において提供される上記の技術的解決策から理解できるように、本発明の本実施例では、ＰＳからＣＳへのスイッチはＣＳＦＢによってトリガされ、ＰＳドメインからＣＳドメインへのＵＥによるスイッチの方式で回線交換フォールバックを実現し、遅延を低減可能であり、これにより、ユーザ体感を向上させることができる。
【０２１３】
本発明の本実施例における“及び／又は”という用語は、関連するオブジェクトを説明するための関連付け関係のみを説明し、３つの関係が存在してもよいことを表すことが理解されるべきである。例えば、Ａ及び／又はＢは、以下の３つのケース、すなわち、Ａのみが存在する、ＡとＢとの双方が存在する、Ｂのみが存在することを表してもよい。さらに、本明細書における“／”という文字は、通常は関連するオブジェクトの間の“又は”の関係を示す。
【０２１４】
当業者は、本明細書において開示される実施例において説明される具体例に関連して、ユニット及びアルゴリズムステップが電子的なハードウェア、コンピュータソフトウェア又はこれらの組み合わせにより実現されてもよいことを認識してもよい。ハードウェアとソフトウェアとの間の互換性を明確に説明するため、上記は通常は機能に従って各具体例の構成及びステップを説明している。機能がハードウェア又はソフトウェアによって実行されるか否かは、技術的解決策の特定の適用及び設計制約条件に依存する。当業者は、異なる方法を用いてそれぞれの特定の適用について説明された機能を実現してもよいが、このような実現形態は本発明の範囲を超えるとみなされるべきでない。
【０２１５】
便宜的且つ簡潔な説明のため、上記のシステム、装置及びユニットの詳細な動作プロセスについて、上記の方法の実施例における対応するプロセスが参照されてもよいことが当業者によって明確に理解されてもよく、ここでは詳細は再度は説明されない。
【０２１６】
本出願において提供される複数の実施例において、開示されたシステム、装置及び方法は他の方式で実現されてもよいことが理解されるべきである。例えば、説明された装置の実施例は単なる一例である。例えば、ユニットの分割は単なる論理的機能の分割であって、実際の実現形態では他の分割であってもよい。例えば、複数のユニット又はコンポーネントは他のシステムに合成又は統合されてもよいし、又はいくつかの特徴は無視され、又は実行されなくてもよい。さらに、表示又は説明される相互結合又は直接的な結合若しくは通信接続は、いくつかのインタフェースを用いることによって実現されてもよい。装置又はユニットの間の間接的な結合又は通信接続は、電気的、機械的又は他の形態で実現されてもよい。
【０２１７】
別々のパーツとして説明されるユニットは物理的に別々であってもよいし、又はそうでなくてもよく、ユニットとして表示されるパーツは物理的なユニットであってもよいし、又はそうでなくてもよく、１つのポジションに配置されてもよいし、又は複数のネットワークユニットに分散されてもよい。ユニットの一部又は全ては、本発明の実施例における解決策の課題を実現するため、実際のニーズに従って選択されてもよい。
【０２１８】
さらに、本発明の実施例における機能ユニットは１つの処理ユニットに統合されてもよいし、又は各ユニットは物理的に単独で存在してもよいし、又は２つ以上のユニットが１つのユニットに統合される。統合されたユニットは、ハードウェアの形態で実現されてもよいし、又はソフトウェア機能ユニットの形態で実現されてもよい。
【０２１９】
統合されたユニットがソフトウェア機能ユニットの形態で実現され、独立した製品として販売又は利用されるとき、統合されたユニットはコンピュータ可読記憶媒体に記憶されてもよい。このような理解に基づき、実質的に本発明の技術的解決策、又は従来技術に貢献する部分、又は技術的解決策の全て若しくは一部は、ソフトウェアプロダクトの形態で実現されてもよい。コンピュータソフトウェアプロダクトは、記憶媒体に記憶され、本発明の実施例において説明される方法のステップの全て又は一部を実行するようコンピュータ装置（パーソナルコンピュータ、サーバ又はネットワーク装置であってもよい）に命令するための複数の命令を有する。上記の記憶媒体は、ＵＳＢフラッシュドライブ、着脱可能なハードディスク、読み出し専用メモリ（ＲＯＭ，Ｒｅａｄ−Ｏｎｌｙ  Ｍｅｍｏｒｙ）、ランダム・アクセス・メモリ（ＲＡＭ，Ｒａｎｄｏｍ  Ａｃｃｅｓｓ  Ｍｅｍｏｒｙ）、磁気ディスク又は光ディスクなど、プログラムコードを記憶可能な何れかの媒体を含む。
【０２２０】
上記の説明は、本発明の単なる特定の実現方式であり、本発明の保護範囲を限定することを意図していない。本発明において開示される技術的範囲内で当業者によって容易に想到する何れかの変更又は置換は、本発明の保護範囲内に属する。従って、本発明の保護範囲は、請求項の保護範囲に従う。
【手続補正３】
【補正対象書類名】図面
【補正対象項目名】図９
【補正方法】変更
【補正の内容】
【図９】
2016521940.tif 000001
【手続補正４】
【補正対象書類名】図面
【補正対象項目名】図１３
【補正方法】変更
【補正の内容】
【図１３】
2016521940.tif 000002